(57)【要約】異なる制御情報フォーマットが、１つのＵＥについてのパフォーマンスと、異なるＵＥについての多重化能力との間にトレードオフを与える。一態様では、ユーザ機器（ＵＥ）は、複数のフォーマットから１つのフォーマットを選択する際に適用すべき第１のしきい値を決定し、制御情報の第１の送信のために当該フォーマットを使用する。当該フォーマットの選択の際に適用すべき第１のしきい値は、可能性のある値のセットから決定され、そこでＵＥが第１の送信のための第１のペイロードの第１のサイズを決定し、第１のサイズおよび第１のしきい値に基づいて、制御情報の第１の送信のための第１のフォーマットを選択する。当該しきい値は、基地局によって構成可能であり得、ＵＥにおいて優勢なチャネル状態および／または異なるフォーマットに関連付けられた多重化能力に対するニーズを反映し得る。【選択図】図６
2018526892.tif 000002
【特許請求の範囲】
【請求項１】
ユーザ機器（ＵＥ）におけるワイヤレス通信の方法であって、
複数のフォーマットから１つのフォーマットを選択する際に適用すべき第１のしきい値を決定することと、前記フォーマットは、制御情報の第１の送信のために前記ＵＥによって使用され、ここで、前記フォーマットを選択する際に適用すべき前記第１のしきい値は、値の第１のセットから決定される、
制御情報の前記第１の送信のための第１のペイロードの第１のサイズを決定することと、
前記第１のサイズおよび前記第１のしきい値に基づいて、制御情報の前記第１の送信のための第１のフォーマットを選択することと、
前記ＵＥによって、前記第１のフォーマットにしたがってアップリンクキャリア上で前記第１の送信を送ることと、
を備える方法。
【請求項２】
前記フォーマットは、物理アップリンク制御チャネル（ＰＵＣＣＨ）フォーマットを備える、請求項１に記載の方法。
【請求項３】
前記第１のしきい値を決定することは、前記ＵＥのために構成されたしきい値のセットから前記第１のしきい値を決定することを備える、請求項１の記載の方法。
【請求項４】
前記第１のしきい値を決定することは、基地局から前記第１のしきい値を受信することを備える、請求項１に記載の方法。
【請求項５】
前記第１のしきい値を受信することは、無線リソース制御（ＲＲＣ）構成メッセージを受信することを備える、請求項４に記載の方法。
【請求項６】
制御情報の第２の送信のための第２のペイロードの第２のサイズを決定することと、
前記第２のペイロードの前記第２のサイズおよび前記第１のしきい値に基づいて、前記第２の送信のための第２のフォーマットを選択することと、
をさらに備える、請求項１に記載の方法。
【請求項７】
第２のフォーマットを選択する際に適用すべき第２のしきい値を決定することと、前記第２のフォーマットは、制御情報の第２の送信のために使用され、ここで、前記第２のしきい値は、値の前記第１のセットとは異なる値の第２のセットから決定される、
制前記第２の送信のための第２のペイロードの第２のサイズを決定することと、
制御情報の前記第２の送信のための前記第２のサイズおよび前記第２のしきい値に基づいて前記第２のフォーマットを選択することと、
をさらに備える、請求項１に記載の方法。
【請求項８】
前記第１のしきい値は、一連のフォーマットの各フォーマットが使用されるときを示すしきい値のセットを備える、請求項１に記載の方法。
【請求項９】
前記制御情報は、ＨＡＲＱフィードバック、チャネル状況情報フィードバック、またはスケジューリングリクエストのうちの少なくとも１つを備える、請求項１に記載の方法。
【請求項１０】
前記複数のフォーマットの各々は、それぞれの最大ペイロードサイズまたはそれぞれの多重化能力のうちの少なくとも１つを有する、請求項１に記載の方法。
【請求項１１】
前記複数のフォーマットのうちの少なくとも１つのフォーマットは、時間ドメイン拡散を使用する、請求項１に記載の方法。
【請求項１２】
前記第１のしきい値は、複数のセルグループのうちの第１のセルグループに関連付けられる、請求項１に記載の方法。
【請求項１３】
第２のしきい値は、第２のセルグループにおける送信のために決定され、ここで、前記第２のしきい値は、前記第１のセルグループについての前記第１のしきい値とは異なる、請求項１２に記載の方法。
【請求項１４】
前記複数のセルグループは、前記ＵＥのために構成されたキャリアアグリゲーションオペレーションの一部である、請求項１３に記載の方法。
【請求項１５】
前記複数のセルグループは、前記ＵＥのために構成されたデュアル接続オペレーションの一部である、請求項１２に記載の方法。
【請求項１６】
基地局におけるワイヤレス通信の方法であって、
複数のフォーマットから１つのフォーマットを選択する際にユーザ機器（ＵＥ）によって使用される第１のしきい値を決定することと、前記フォーマットは、前記ＵＥによる制御情報の第１の送信のために使用される、
前記ＵＥから前記第１の送信を受信することと、前記第１の送信は、前記しきい値にしたがって前記ＵＥによって選択された前記フォーマットを使用する、
を備える方法。
【請求項１７】
前記フォーマットは、物理アップリンク制御チャネル（ＰＵＣＣＨ）フォーマットを備える、請求項１６に記載の方法。
【請求項１８】
前記ＵＥに前記第１のしきい値を送ることをさらに備える、請求項１６に記載の方法。
【請求項１９】
前記ＵＥに前記第１のしきい値を送ることは、前記ＵＥに第１のしきい値を送信することを備える、請求項１８に記載の方法。
【請求項２０】
前記第１のしきい値は、前記ＵＥにおいて予め構成される、請求項１８に記載の方法。
【請求項２１】
前記第１のしきい値は、ＲＲＣ構成メッセージを介して前記ＵＥに送られる、請求項１６に記載の方法。
【請求項２２】
ワイヤレス通信のための装置であって、
メモリと、
前記メモリに結合された少なくとも１つのプロセッサと、を備え、前記少なくとも１つのプロセッサは、
複数のフォーマットから１つのフォーマットを選択する際に適用すべき第１のしきい値を決定することと、前記フォーマットは、第１の送信のために使用され、ここで、前記フォーマットの前記選択の際に適用すべき前記第１のしきい値は、値の第１のセットから決定される、
制御情報の前記第１の送信のための第１のペイロードの第１のサイズを決定することと、
前記第１のサイズおよび前記第１のしきい値に基づいて、制御情報の前記第１の送信のための第１のフォーマットを選択することと、
前記ＵＥによって、前記第１のフォーマットにしたがってアップリンクキャリア上で前記第１の送信を送ることと、
を行うように構成される、装置。
【請求項２３】
前記フォーマットは、物理アップリンク制御チャネル（ＰＵＣＣＨ）フォーマットを備える、請求項２２に記載の装置。
【請求項２４】
前記第１のしきい値を決定することは、前記ＵＥのために構成されたしきい値のセットから前記第１のしきい値を決定することを備える、請求項２２の記載の装置。
【請求項２５】
前記第１のしきい値を決定することは、基地局から前記第１のしきい値を受信することを備える、請求項２２に記載の装置。
【請求項２６】
ワイヤレス通信のための装置であって、
メモリと、
前記メモリに結合された少なくとも１つのプロセッサと、を備え、前記少なくとも１つのプロセッサは、
複数のフォーマットから１つのフォーマットを選択する際にユーザ機器（ＵＥ）によって使用される第１のしきい値を決定することと、前記フォーマットは、前記ＵＥによる制御情報の第１の送信のために使用される、
前記ＵＥから前記第１の送信を受信することと、前記第１の送信は、前記しきい値を使用する、
を行うように構成される、装置。
【請求項２７】
前記フォーマットは、物理アップリンク制御チャネル（ＰＵＣＣＨ）フォーマットを備える、請求項２６に記載の装置。
【請求項２８】
前記プロセッサは、前記ＵＥに前記第１のしきい値を送るようにさらに構成される、請求項２６に記載の装置。
【請求項２９】
前記ＵＥに前記第１のしきい値を送ることは、前記ＵＥに第１のしきい値を送信することを備える、請求項２８に記載の装置。
【発明の詳細な説明】
【関連出願への相互参照】
【０００１】
[0001]  本出願は、２０１５年８月３日付で出願された、「CONFIGURABLE THRESHOLD FOR PHYSICAL UPLINK CONTROL CHANNEL FORMAT SELECTION FOR ENHANCED CARRIER AGGREGATION」という題名の米国仮出願番号第６２／２００，５６９号、および２０１６年８月１日付で出願された、「CONFIGURABLE THRESHOLD FOR FORMAT SELECTION FOR ENHANCED CARRIER AGGREGATION」という題名の米国特許出願第１５／２２４，８７７号の利益を主張し、これらは、全体として本明細書に参照によって明示的に組み込まれる。
【技術分野】
【０００２】
[0002]  本開示は概して、通信システムに関し、より具体的には、拡張キャリアアグリゲーションのための設定可能なしきい値フォーマット選択に関する。
【背景技術】
【０００３】
[0003]  ワイヤレス通信システムは、電話通信、ビデオ、データ、メッセージング、およびブロードキャストのような様々な電気通信サービスを提供するために広く展開されている。典型的なワイヤレス通信システムは、利用可能なシステムリソースを共有することによって複数のユーザとの通信をサポートする能力を有する多元接続技術を採用し得る。こうした多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  これらの多元接続技術は、種々のワイヤレスデバイスが市区町村、国、地域、さらにはグローバルレベルで通信することを可能とする共通のプロトコルを提供するために、様々な電気通信規格において導入されてきた。例となる電気通信規格は、ロングタームエボリューション（ＬＴＥ（登録商標））である。ＬＴＥは、第３世代パートナーシッププロジェクト（３ＧＰＰ（登録商標））によって公表されたユニバーサルモバイル電気通信システム（ＵＭＴＳ）のモバイル規格に対する強化版（enhancement）のセットである。ＬＴＥは、ダウンリンク上でのＯＦＤＭＡ、アップリンク上でのＳＣ−ＦＤＭＡ、および多入力多出力（ＭＩＭＯ）アンテナ技術を使用して、改善されたスペクトル効率、低下したコスト、改善されたサービスを通じたモバイルブロードバンドアクセスをサポートするように設計されている。しかしながら、モバイルブロードバンドアクセスを求める需要が高まり続けるのに伴い、ＬＴＥ技術においてさらなる改善の必要がある。これらの改善はまた、他の多元接続技術およびこれらの技術を採用する電気通信規格に適用可能であり得る。
【０００５】
[0005]  ユーザ機器（ＵＥ）は、アップリンク制御情報（ＵＣＩ）の送信のために種々のフォーマットを使用し得る。ＵＣＩの送信のためのフォーマットは、関連付けられたトレードオフを有する。たとえば、異なるフォーマットが、１つのＵＥについてのパフォーマンスと、他のＵＥについての多重化能力との間にトレードオフを与える。
【発明の概要】
【０００６】
[0006]  以下は、１つまたは複数の態様の簡略化された概要を、こうした態様の基本的な理解を提供するために提示する。この概要は、すべての考えられる態様の広範囲及ぶ概観ではなく、またすべての態様のキーとなるもしくは決定的な要素を特定することも、いずれかのもしくはすべての態様の範囲を詳細に記述することもしないように意図されている。当該要約の唯一の目的は、後に提示されるより詳細な説明への前置きとして簡略化された形態で１つまたは複数の態様のいくつかの概念を提示することである。
【０００７】
[0007]  種々のフォーマットが、１つのＵＥについてのパフォーマンスと、ＵＥのグループについての多重化能力との間にトレードオフを与える。たとえば、種種の物理アップリンク制御チャネル（ＰＵＣＣＨ）フォーマットは、１つのＵＥについてのＰＵＣＣＨパフォーマンスと、基地局によってサービスされる複数のＵＥについてのＰＵＣＣＨ多重化能力との間にトレードオフを与える。
【０００８】
[0008]  いくつかのケースでは、個別のＰＵＣＣＨパフォーマンス（たとえば、ＵＥ電力消費）と発展型ノードＢ（ｅＮＢ）におけるＰＵＣＣＨ多重化とのトレードオフは、各個別のＵＥのチャネル／干渉状況を考慮に入れるべきである。チャネル状況が良好なＵＥでは、より大きい多重化能力を供給するＰＵＣＣＨフォーマットを用いるわずかに悪いＰＵＣＣＨパフォーマンスが、許容可能であり得る。ＵＥは、ＰＵＣＣＨパフォーマンスターゲットを満たすために、より高い送信電力で送信する必要があり得る。より多くのＵＥがその後、同じリソースブロックにおいて多重化され得る。逆に、チャネル状況が悪いＵＥでは、ＰＵＣＣＨパフォーマンスがより重要になり得、その理由は、当該ＵＥがＰＵＣＣＨパフォーマンスを落とし得る電力制限を経験し得るからであり、これは望ましくないことがある。結果的に、低減された多重化能力は避けられないことがある。したがって、ＵＥ固有のしきい値が、特定のＰＵＣＣＨ送信のためにどのＰＵＣＣＨフォーマットを使用すべきかを決定する際に使用され得る。
【０００９】
[0009]  本開示の態様では、ワイヤレス通信のための方法、装置、およびコンピュータ実行可能コードを記憶するコンピュータ可読媒体が提供される。当該装置は、複数のフォーマットから１つのフォーマットを選択する際に適用すべき第１のしきい値を決定する。当該フォーマットは第１の送信のために使用される。加えて、当該フォーマットの選択の際に適用すべき第１のしきい値は、可能性のある値のセットから決定される。当該装置は、第１の送信のための第１のペイロードの第１のサイズを決定し、当該第１のサイズおよび当該第１のしきい値に基づいて、第１の送信のための第１のフォーマットを選択する。
【００１０】
[0010]  本開示の態様では、ワイヤレス通信のための方法、装置、およびコンピュータ実行可能コードを記憶するコンピュータ可読媒体が提供される。当該装置は、複数のフォーマットから１つのフォーマットを選択する際に適用すべき第１のしきい値を選択する。当該フォーマットは、ＵＥによる第１の送信のために使用される。加えて、当該装置は、当該ＵＥから第１の送信を受信し、当該第１の送信は、当該選択されたしきい値を使用する。
【００１１】
[0011]  前述および関連する目的の達成に向けて、１つまたは複数の態様は、以下で十分に説明され、請求項において具体的に指摘される特徴を備える。以下の説明および添付の図面は、１つまたは複数の態様のある特定の例示的な特徴を詳細に述べる。しかしながらこれらの特徴は、様々な態様の原理が採用され得る様々な方法のうちのほんのいくつかを示しているに過ぎず、本説明は、そのような態様およびそれらの均等物すべてを含むように意図されている。
【図面の簡単な説明】
【００１２】
【図１】ワイヤレス通信システムおよびアクセスネットワークの例を例示する図である。
【図２Ａ】ＤＬフレーム構造のＬＴＥの例を例示する図である。
【図２Ｂ】ＤＬフレーム構造内のＤＬチャネルのＬＴＥの例を例示する図である。
【図２Ｃ】ＵＬフレーム構造のＬＴＥの例を例示する図である。
【図２Ｄ】ＤＬフレーム構造内のＵＬチャネルのＬＴＥの例を例示する図である。
【図３】アクセスネットワークにおけるｅＮＢおよびＵＥの例を例示する図である。
【図４Ａ】本明細書で説明されるシステムおよび方法にしたがった、連続キャリアアグリゲーションの例を例示する図である。
【図４Ｂ】本明細書で説明されるシステムおよび方法にしたがった、非連続キャリアアグリゲーションの例を例示する図である。
【図５】本明細書で説明されるシステムおよび方法にしたがった、例となる通信システムを例示する図である。
【図６】本明細書で説明されるシステムおよび方法にしたがった、ワイヤレス通信の方法のフローチャートである。
【図７】本明細書で説明されるシステムおよび方法にしたがった、ワイヤレス通信の方法のフローチャートである。
【図８】実例的な装置における種々の手段／コンポーネント間のデータフローを例示する概念上のデータフロー図である。
【図９】処理システムを採用する装置のためのハードウェア実装の例を例示する図である。
【図１０】実例的な装置における種々の手段／コンポーネント間のデータフローを例示する概念上のデータフロー図である。
【図１１】処理システムを採用する装置のためのハードウェア実装の例を例示する図である。
【詳細な説明】
【００１３】
[0024]  添付の図面に関係して以下で述べられる詳細な説明は、様々な構成の説明として意図されており、本明細書で説明される概念が実施され得る唯一の構成（the only configurations）を表すようには意図されていない。詳細な説明は、様々な概念の徹底的な理解を提供する目的で具体的な詳細を含む。しかしながら、これらの概念がこれらの具体的な詳細なく実施され得ることは、当業者には明らかだろう。いくつかの事例では、周知の構造およびコンポーネントが、そのような概念を曖昧にすることを避けるためにブロック図の形態で図示される。
【００１４】
[0025]  電気通信システムのいくつかの態様は、様々な装置および方法を参照してこれから提示されることになる。これらの装置および方法は、様々なブロック、コンポーネント、回路、プロセス、アルゴリズム等（集合的に、「要素」と称される）によって、以下の詳細な説明において説明され、添付の図面において例示されることになる。これらの要素は、電子ハードウェア、コンピュータソフトウェア、またはそれらのあらゆる組合せを使用して実装され得る。こうした要素がハードウェアとして実装されるかソフトウェアとして実装されるかは、システム全体に課された設計の制約および特定のアプリケーションに依存する。
【００１５】
[0026]  例として、要素、または要素のうちのいずれの一部分、または要素のいずれの組合せも、１つまたは複数のプロセッサを含む「処理システム」として実装され得る。プロセッサの例は、マイクロプロセッサ、マイクロコントローラ、グラフィックス処理ユニット（ＧＰＵ）、中央処理ユニット（ＣＰＵ）、アプリケーションプロセッサ、デジタルシグナルプロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブル論理デバイス（ＰＬＤ）、ステートマシン、ゲート論理回路、ディスクリートハードウェア回路、および本開示全体を通して説明される様々な機能性を実行するように構成された他の適したハードウェアを含む。処理システムにおける１つまたは複数のプロセッサは、ソフトウェアを実行し得る。ソフトウェアは、ソフトウェア、ファームウェア、ミドルウェア、マイクロコード、ハードウェア記述言語、または別の形のいずれで称されようと、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数等を意味するように広く解釈されることとする。
【００１６】
[0027]  したがって、１つまたは複数の例となる実施形態では、説明される機能は、ハードウェア、ソフトウェア、またはこれらのいずれの組合せにおいても実装され得る。ソフトウェアにおいて実装される場合、機能は、コンピュータ可読媒体上で、１つまたは複数の命令またはコードとして符号化または記憶され得る。コンピュータ可読媒体はコンピュータ記憶媒体を含む。記憶媒体は、コンピュータによってアクセスされ得るいずれの利用可能な媒体でもあり得る。限定ではなく例として、こうしたコンピュータ可読媒体は、ランダムアクセスメモリ（ＲＡＭ）、読取専用メモリ（ＲＯＭ）、電気的消去可能プログラマブルＲＯＭ（ＥＥＰＲＯＭ（登録商標））、光学ディスクストレージ、磁気ディスクストレージ、他の磁気記憶デバイス、上述のタイプのコンピュータ可読媒体の組合せ、あるいはコンピュータによってアクセスされ得るデータ構造または命令の形態でコンピュータ実行可能コードを記憶するために使用され得るいずれの他の媒体も備え得る。
[0028]  本明細書で説明されるシステムおよび方法は、ワイヤレス通信に関する。これらのシステムおよび方法はさらに、サイズ、たとえばペイロードサイズ、およびしきい値に基づいて制御情報の送信のためのフォーマットを選択することに関する。当該フォーマットは送信のキャパシティに関し得、たとえば、当該キャパシティは、リソースブロック中にあり得る。しきい値は、ビット数で測定され、ペイロードに適用され得る。さらに、しきい値は、ペイロードサイズにおける（in payload size）のビットの範囲、たとえば一例を例示すると、３〜１６ビット、１７〜４８ビット、４９〜１３６ビット、のセットであり得る値のセットから決定され得る。たとえば、ビットで（in bits）表現されるペイロードサイズは、しきい値と比較され得る値であり得る。しきい値はしきい値のセットであり得、各しきい値は値の範囲を含む。したがって、ペイロードサイズは、しきい値のセット中の値の特定の範囲に割り当てられ得るフォーマットにマッピングし得る。たとえば、ペイロードサイズがビットの第１の範囲、たとえば３〜１６ビット、に収まるとき、第１のフォーマットが使用され得る。ペイロードサイズがビットの範囲、たとえば１７〜４８ビット、に収まるとき、第２のフォーマットが使用され得る。ペイロードサイズがビットの第３の範囲、たとえば４９〜１３６ビット、に収まるとき、第３のフォーマットが使用され得る。したがって、しきい値は、しきい値のセット、たとえば値のセットであり得、ここで値の各セットは範囲のセットを形成し得る。
【００１７】
[0029]  加えて、種々の通信デバイス、たとえば種々のＵＥ、が種々のしきい値（たとえば、しきい値の種々のセット）を有し得る。しきい値の種々のセットは、値の種々の範囲を含み得る。ペイロードサイズは再び、しきい値のセット中の値の特定の範囲に割り当てられ得るフォーマットにマッピングし得る。たとえば、しきい値の第２のセットでは、ペイロードサイズがビットの第１の範囲、たとえば３〜２４ビット、に収まるとき、第１のフォーマットが使用され得る。ペイロードサイズがビットの範囲、たとえば２５〜７２ビット、に収まるとき、第２のフォーマットが使用され得る。ペイロードサイズがビットの第３の範囲、たとえば７３〜１３６ビット、に収まるとき、第３のフォーマットが使用され得る。第２のしきい値を使用して選択されたフォーマットは、第１のしきい値を使用して選択されたフォーマットとは異なり得る。したがって、フォーマットへのしきい値の異なるマッピングが、異なるＵＥのために使用され得る。
【００１８】
[0030]  したがって、１つの通信デバイスが上記の例において説明されたしきい値のセットを使用し得る一方で、別の通信デバイスがしきい値の異なるセットを使用し得る。たとえば、しきい値の第２のセットは、３ビットから２４ビットまで、２５ビットから７２ビットまで、および７３ビットから１３６ビットまでであり得る。別の通信デバイスは、複数のフォーマットから使用すべき１つのフォーマットを決定するためにしきい値の第２のセットを使用し得、ここで各範囲は、当該複数のフォーマットのうちの特定の１つのフォーマットにマッピングされ得る。
【００１９】
[0031]  たとえば、複数のフォーマットがＰＵＣＣＨフォーマットである場合、ビットの範囲は、当該複数のＰＵＣＣＨフォーマットから選択されるＰＵＣＣＨフォーマットを決定するために使用され得、ここで各範囲は、１つのＰＵＣＣＨフォーマットにマッピングされ得る。
【００２０】
[0032]  一態様では、通信デバイスは、複数のフォーマットから１つのフォーマットを選択する際に適用すべきしきい値を決定し得る。当該フォーマットは、制御情報のアップリンク送信のために使用され得る。上で論じられたように、当該フォーマットは、しきい値のセット中の値の範囲に基づいて選択され得る。加えて、通信デバイスは、送信のためのペイロードのサイズを決定し得る。通信デバイスはその後、当該サイズおよび当該しきい値に基づいて送信のためのフォーマットを選択し得る。たとえば、通信デバイスは、たとえばビット単位のペイロードのサイズをしきい値、たとえば一連のビットの範囲、と比較し得る。したがって、サイズが１７ビットであり、上で論じられた範囲の第１のセット（またはしきい値の第１のセット）が使用される場合、１７ビットのペイロードは、第１の一連の範囲（またはしきい値の第１のセット）のうちのビットの第２の範囲内に入る。一方で、サイズが１７ビットであり、上で論じられた範囲の第２のセットが使用される場合、１７ビットのペイロードは、第２の一連の範囲（またはしきい値の第２のセット）のうちのビット第１の範囲内に入る。
【００２１】
[0033]  いくつかの例では、しきい値の種々のセットが、たとえば別のＵＥによる種々の送信に適用され得る。たとえば、第２のＵＥは、制御情報の第２の送信のためのペイロードの第２のサイズを決定し得る。第２のＵＥは、当該第２のサイズに基づいて、第２の送信のための第２のフォーマットを選択し得る。たとえば、上記のしきい値の第２のセットは、制御情報の第２の送信のペイロードのために選択されるかもしれない。
【００２２】
[0034]  本明細書で説明されるシステムおよび方法は、基地局にも適用され得る。たとえば、基地局は、複数のフォーマットから１つのフォーマットを選択する際に適用すべきしきい値をＵＥのために設定し得る。選択されたフォーマットは、ＵＥによる制御情報の送信のために使用され得る。基地局は、当該設定をＵＥに通信し得る。したがって、基地局は、設定されたフォーマットにしたがってＵＥから送信を受信し得る。ＵＥからの送信は、基地局によって提供されたしきい値に基づいて選択されるフォーマットを使用し得る。
【００２３】
[0035]  加えて、基地局は、制御情報の第２の送信のために使用すべき第２のフォーマットを選択する際に適用すべき別のしきい値を第２のＵＥのために設定し得る。基地局は、当該設定およびしきい値を第２のＵＥに通信し得る。それに応じて、基地局は、第２のＵＥから送信を受信し得る。第２のＵＥからの送信は、第２のＵＥの設定にしたがって第２のフォーマットを使用して生成され得る。
【００２４】
[0036]  より具体的には、本明細書で説明されるシステムおよび方法は、本明細書で説明されるシステムおよび方法を使用して選択され得るフォーマットの一例としての、ＰＵＣＣＨフォーマットの選択に関して説明され得る。本明細書で説明されるシステムおよび方法は、ＵＥおよび基地局を有するシステムのようなワイヤレス通信システム内で使用される他のタイプのフォーマットの選択に適用され得る。
【００２５】
[0037]  限定ではなく例示として、通信デバイスによるフォーマット、たとえばＰＵＣＣＨフォーマットを選択するための本明細書で説明されるシステムおよび方法は、ＵＥに関して説明されることになる。ＵＥは、複数のＰＵＣＣＨフォーマットから１つのＰＵＣＣＨフォーマットを選択することに適用すべきしきい値を選択し得る。当該ＰＵＣＣＨフォーマットは、ＰＵＣＣＨ上での制御情報の送信のために使用され得る。当該しきい値は、ＰＵＣＣＨフォーマットの選択の際に適用され得る。当該しきい値は、特定のＰＵＣＣＨフォーマットに割り当てられ得るペイロードサイズの範囲を定義する値のセットである複数のしきい値であり得る。加えて、ＵＥは、制御情報の送信のためのペイロードのサイズを決定し得る。ＵＥはその後、当該サイズおよび当該しきい値に基づいて送信のためのＰＵＣＣＨフォーマットを選択し得る。たとえば、ＵＥは、たとえばビット単位のペイロードのサイズを、しきい値のセット、たとえばビットの範囲のセット、と比較し得る。したがって、送信のサイズが１７ビットであり、上で論じられたしきい値の第１のセットが使用される場合、１７ビットペイロードは、しきい値の第１のセットのうちのビットの第２の範囲内に収まる。一方で、送信のサイズが１７ビットであり、上で論じられたしきい値の第２のセットが使用される場合、１７ビットペイロードはしきい値の第２のセット内のビットの第１のしきい値範囲内に収まる。いくつかの例では、範囲の種々のセットが、たとえば別のＵＥによる種々の送信に適用され得る。たとえば、第２のＵＥは、そのＵＥの送信のためのペイロードの第２のサイズを決定し得る。第２のＵＥは、当該第２のサイズに基づいて制御情報の送信のためのＰＵＣＣＨフォーマットを選択し得る。たとえば、上記のしきい値の第２のセットは、制御情報の第２の送信のペイロードに基づいて選択されるかもしれない。本明細書で説明されるシステムおよび方法は、送信のためのフォーマットを選択する際に基地局にも適用され得る。
【００２６】
[0038]  図１は、ワイヤレス通信システムおよびアクセスネットワーク１００の例を例示している図である。ワイヤレス通信システム（ワイヤレス広域ネットワーク（ＷＷＡＮ）とも称される）は、基地局１０２、ＵＥ１０４、および進化型パケットコア（ＥＰＣ）１６０を含む。基地局１０２は、マクロセル（高出力（high power）セルラ基地局）および／またはスモールセル（低出力（low power）セルラ基地局）を含み得る。マクロセルはｅＮＢを含む。スモールセルは、フェムトセル、ピコセル、およびミクロセルを含む。
【００２７】
[0039]  基地局１０２（集合的に、進化型ユニバーサル移動体通信システム（ＵＭＴＳ）地上無線アクセスネットワーク（Ｅ−ＵＴＲＡＮ）と称される）は、バックホールリンク１３２（たとえば、Ｓ１インターフェース）を通じてＥＰＣ１６０とインターフェース接続する。他の機能に加えて、基地局１０２は、以下の機能：ユーザデータの転送、無線チャネル暗号化および暗号解読、インテグリティ保護、ヘッダ圧縮、モビリティ制御機能（たとえば、ハンドオーバ、デュアル接続）、セル間干渉協調、接続セットアップおよび解放（connection setup and release）、負荷バランシング（load balancing）、非アクセス層（ＮＡＳ）メッセージのための分配、ＮＡＳノード選択、同期、無線アクセスネットワーク（ＲＡＮ）共有、マルチメディアブロードキャストマルチキャストサービス（ＭＢＭＳ）、加入者および機器のトレース、ＲＡＮ情報管理（ＲＩＭ）、ページング、測位（positioning）、および警告メッセージの配信、のうちの１つまたは複数を実行し得る。複数の基地局１０２は、バックホールリンク１３４（たとえば、Ｘ２インターフェース）を介して互いと直接的に、または間接的に（ＥＰＣ１６０を通じて）通信し得る。バックホールリンク１３４は、有線またはワイヤレスであり得る。
【００２８】
[0040]  基地局１０２は、ＵＥ１０４とワイヤレスに通信し得る。基地局１０２の各々は、それぞれの地理的カバレッジエリア１１０に通信カバレッジを提供し得る。重複する地理的カバレッジエリア１１０が存在し得る。たとえば、スモールセル１０２’は、１つまたは複数のマクロ基地局１０２のカバレッジエリア１１０と重複するカバレッジエリア１１０’を有し得る。スモールセルとマクロセルの両方を含むネットワークは、異種（heterogeneous）ネットワークとして知られ得る。異種ネットワークは、ホーム進化型ノードＢ（ｅＮＢ）（ＨｅＮＢ）を含み得、これは、クローズド加入者グループ（ＣＳＧ）として知られる限られたグループにサービスを提供し得る。基地局１０２とＵＥ１０４との間の通信リンク１２０は、ＵＥ１０４から基地局１０２までのアップリンク（ＵＬ）（逆方向リンクとも称される）送信、および／または基地局１０２からＵＥ１０４までのダウンリンク（ＤＬ）（順方向リンクとも称される）送信を含み得る。通信リンク１２０は、空間多重化、ビームフォーミング、および／または送信ダイバーシチを含む、ＭＩＭＯアンテナ技術を使用し得る。通信リンクは、１つまたは複数のキャリアを通じていることがある。基地局１０２／ＵＥ１０４は、各方向への送信のために使用される最大で合計ＹｘＭＨｚ（ｘ個のコンポーネントキャリア）のキャリアアグリゲーションにおいて割り当てられる、キャリア毎に最大ＹＭＨｚ（たとえば、５、１０、１５、２０ＭＨｚ）帯域幅のスペクトルを使用し得る。キャリアは、互いに隣接していることも、または隣接していないこともある。キャリアの割振りは、ＤＬおよびＵＬに関して非対称であり得る（たとえば、ＵＬよりもＤＬについて、より多くのキャリア、またはより少ないキャリアが割り振られ得る）。コンポーネントキャリアは、１つのプライマリコンポーネントキャリアと、１つまたは複数のセカンダリコンポーネントキャリアとを含み得る。プライマリコンポーネントキャリアは、プライマリセル（ＰＣｅｌｌ）と称され得、セカンダリコンポーネントキャリアは、セカンダリセル（ＳＣｅｌｌ）と称され得る。
【００２９】
[0041]  ワイヤレス通信システムは、５ＧＨｚアンライセンス周波数スペクトルにおいて通信リンク１５４を介してＷｉ−Ｆｉ局（ＳＴＡ（ｓ））１５２と通信しているＷｉ−Ｆｉアクセスポイント（ＡＰ）１５０をさらに含み得る。アンライセンス周波数スペクトルにおいて通信するとき、ＳＴＡ（ｓ）１５２／ＡＰ１５０は、チャネルが利用可能であるかどうかを決定するために、通信する前にクリアチャネルアセスメント（ＣＣＡ）を実行し得る。
【００３０】
[0042]  スモールセル１０２’は、ライセンスおよび／またはアンライセンス周波数スペクトルにおいて動作し得る。アンライセンス周波数スペクトルにおいて動作するとき、スモールセル１０２’は、ＬＴＥを採用し得、Ｗｉ−Ｆｉ  ＡＰ１５０によって使用されるものと同じ５ＧＨｚアンライセンス周波数スペクトルを使用し得る。スモールセル１０２’は、アンライセンス周波数スペクトルにおいてＬＴＥを採用して、アクセスネットワークに対するカバレッジを拡大（boost）させ得、および／またはアクセスネットワークのキャパシティを高め得る。アンライセンススペクトルにおけるＬＴＥは、ＬＴＥアンライセンス（ＬＴＥ−Ｕ）、ＬＡＡ（licensed assisted access）、またはＭｕＬＴＥｆｉｒｅと呼ばれ得る。
【００３１】
[0043]  ＥＰＣ１６０は、モビリティ管理エンティティ（ＭＭＥ）１６２、他のＭＭＥ（ｓ）１６４、サービングゲートウェイ１６６、マルチメディアブロードキャストマルチキャストサービス（ＭＢＭＳ）ゲートウェイ１６８、ブロードキャストマルチキャストサービスセンタ（ＢＭ−ＳＣ）１７０、およびパケットデータネットワーク（ＰＤＮ）ゲートウェイ１７２を含み得る。ＭＭＥ１６２は、ホーム加入者サーバ（ＨＳＳ）１７４と通信状態にあり得る。ＭＭＥ１６２は、ＵＥ（ｓ）１０４とＥＰＣ１６０との間のシグナリングを処理する制御ノードである。概してＭＭＥ１６２は、ベアラおよび接続管理を提供する。すべてのユーザインターネットプロトコル（ＩＰ）パケットが、サービングゲートウェイ１６６を通じて転送され、当該サービングゲートウェイ１６６は、それ自体がＰＤＮゲートウェイ１７２に接続されている。ＰＤＮゲートウェイ１７２は、ＵＥ  ＩＰアドレス割振りと、それに加えて他の機能を提供する。ＰＤＮゲートウェイ１７２およびＢＭ−ＳＣ１７０は、ＩＰサービス１７６に接続されている。ＩＰサービス１７６は、インターネット、イントラネット、ＩＰマルチメディアサブシステム（ＩＭＳ）、ＰＳストリーミングサービス（ＰＳＳ）、および／または他のＩＰサービスを含み得る。ＢＳ−ＳＣ１７０は、ＭＢＭＳユーザサービスプロビジョニングおよび配信のための機能を提供し得る。ＢＭ−ＳＣ１７０は、コンテンツプロバイダＭＢＭＳ送信のためのエントリポイントとして役目をし得、ＰＬＭＮ（public land mobile network）内でＭＢＭＳベアラサービスを認証および開始するために使用され得、および、ＭＢＭＳ送信をスケジューリングするために使用され得る。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを分配するために使用され得、セッション管理（開始／停止）およびｅＭＢＭＳ関連課金情報を集めることを担い得る。
【００３２】
[0044]  基地局はまた、ノードＢ、ｅＮＢ、アクセスポイント、基地トランシーバ局、無線基地局、無線トランシーバ、トランシーバ機能、ベーシックサービスセット（ＢＳＳ）、拡張サービスセット（ＥＳＳ）、または何らかの他の適切な用語でも称され得る。基地局１０２は、ＵＥ１０４に対してＥＰＣ１６０へのアクセスポイントを提供する。ＵＥ１０４の例は、セルラ電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレイヤ（たとえば、ＭＰ３プレイヤ）、カメラ、ゲーム機、タブレット、スマートデバイス、ウェアラブルデバイス、または同様に機能する他の任意のデバイスを含む。ＵＥ１０４はまた、局、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適切な用語でも称され得る。
【００３３】
[0045]  図１を再び参照すると、ある特定の態様では、ＵＥ１０４は、ＬＴＥユーザ機器であり得る。ＬＴＥでは、ＵＥによって送られる制御情報は、ＨＡＲＱフィードバック、チャネル状態情報（ＣＳＩ）、スケジューリングリクエスト（ＳＲ）等を含み得る。ＵＥ１０４は、ＰＵＣＣＨ上でＵＣＩを送り得る。キャリアアグリゲーションの例として、１つのアップリンクキャリアは、ＵＥ１０４がネットワークにＵＣＩを送るプライマリセル（Ｐｃｅｌｌ）として指定され得る。デュアル接続では、第２のＰＵＣＣＨ対応キャリア（ｐＳｃｅｌｌ）もまた構成され得、当該構成されたキャリアは、それぞれのセルのＰＵＣＣＨ上でＵＣＩを送る目的でグループにまとめられ得る（arranged）。各ケースにおいて、ＵＥ１０４は、複数のＰＵＣＣＨフォーマットのうちの１つを使用してネットワークにそのＵＣＩをシグナリングし得る。
【００３４】
[0046]  本開示にしたがうと、ＵＥ１０４は、複数のフォーマットから１つのフォーマットを選択する際に適用すべき第１のしきい値を決定するように構成され得る。当該フォーマットは、アップリンクキャリア上での制御情報の第１の送信のためにＵＥによって使用され得る。第１のしきい値は、当該フォーマットの選択の際に適用され得る。第１のしきい値は、値の第１のセットから決定され得る。ＵＥ１０４は、制御情報の第１の送信のための第１のペイロードの第１のサイズを決定し得る。加えて、ＵＥ１０４は、第１のサイズおよび第１のしきい値に基づいて、制御情報の第１の送信のための第１のフォーマットを選択し得る。ＵＥ１０４は、第１のフォーマットにしたがってアップリンクキャリア上で第１の送信を送り得る。
【００３５】
[0047]  図１を再び参照すると、ある特定の態様では、ｅＮＢ１０２は、複数のフォーマットから１つのフォーマットを選択する際にＵＥよって使用される第１のしきい値を決定するように構成され得る。基地局は、ＵＥに当該しきい値を通信し得る。当該フォーマットは、ＵＥによる第１の送信のために使用され得る。ｅＮＢは、ＵＥから制御情報の第１の送信を受信し得る。制御情報の第１の送信は、当該しきい値にしたがってＵＥによって選択された当該フォーマットを使用し得る。（１９８）。
【００３６】
[0048]  図２Ａは、ＬＴＥにおけるＤＬフレーム構造の例を例示している図２００である。図２Ｂは、ＬＴＥにおけるＤＬフレーム構造内のチャネルの例を例示している図２３０である。図２Ｃは、ＬＴＥにおけるＵＬフレーム構造の例を例示している図２５０である。図２Ｄは、ＬＴＥにおけるＵＬフレーム構造内のチャネルの例を例示している図２８０である。他のワイヤレス通信技術は、異なるフレーム構造および／または異なるチャネルを有し得る。ＬＴＥでは、フレーム（１０ｍｓ）は、１０個の等しいサイズのサブフレームに分割され得る。各サブフレームは、２つの連続したタイムスロットを含み得る。リソースグリッドは、２つのタイムスロットを表すために使用され得、各タイムスロットは、１つまたは複数の時間コンカレント（time concurrent）なリソースブロック（ＲＢ）（物理ＲＢ（ＰＲＢ）とも称される）を含む。リソースグリッドは、複数のリソース要素（ＲＥ）に分割される。ＬＴＥにおいて通常のサイクリックプレフィックスでは、ＲＢは、周波数ドメインにおいて１２個の連続したサブキャリアを、時間ドメインにおいて７つの連続したシンボルを（ＤＬではＯＦＤＭシンボルを、ＵＬではＳＣ−ＦＤＭＡシンボルを）含み、合計８４個のＲＥになる。拡張されたサイクリックプレフィックスでは、ＲＢは、周波数ドメインにおいて１２個の連続したサブキャリアを、時間ドメインにおいて６つの連続したシンボルを含み、合計７２個のＲＥになる。各ＲＥによって搬送されるビット数は、変調スキームに依存する。
【００３７】
[0049]  図２Ａにおいて例示されているように、ＲＥのいくつかは、ＵＥでのチャネル推定のために、ＤＬ基準（パイロット）信号（ＤＬ−ＲＳ）を搬送する。ＤＬ−ＲＳは、セル固有基準信号（ＣＲＳ）（時に共通ＲＳとも呼ばれる）、ＵＥ固有基準信号（ＵＥ−ＲＳ）、およびチャネル状態情報基準信号（ＣＳＩ−ＲＳ）を含み得る。図２Ａは、アンテナポート０、１、２、および３（Ｒ0、Ｒ1、Ｒ2、およびＲ3、とそれぞれ示されている）のためのＣＲＳ、アンテナポート５（Ｒ５と示されている）のためのＵＥ−ＲＳ、およびアンテナポート１５（Ｒと示されている）のためのＣＳＩ−ＲＳを例示している。図２Ｂは、フレームのＤＬサブフレーム内の様々なチャネルの例を例示している。物理制御フォーマットインジケータチャネル（ＰＣＦＩＣＨ）は、スロット０のシンボル０内にあり、物理ダウンリンク制御チャネル（ＰＤＣＣＨ）が１シンボル、２シンボル、または３シンボルを占有するのか（図２Ｂは、３シンボルを占有するＰＤＣＣＨを例示している）を示す制御フォーマットインジケータ（ＣＦＩ）を搬送する。ＰＤＣＣＨは、１つまたは複数の制御チャネル要素（ＣＣＥ）内でダウンリンク制御情報（ＤＣＩ）を搬送し、各ＣＣＥは、９つのＲＥグループ（ＲＥＧ）を含み、各ＲＥＧは、１つのＯＦＤＭシンボルにおいて４つの連続したＲＥを含む。ＵＥは、これもまたＤＣＩを搬送するＵＥ固有の拡張ＰＤＣＣＨ（ｅＰＤＣＣＨ）で構成され得る。ｅＰＤＣＣＨは、２つ、４つ、または８つのＲＢペアを有し得る（図２Ｂは、２つのＲＢペアを図示し、各サブセットは、１つのＲＢペアを含む）。物理ハイブリット自動再送要求（ＡＲＱ）（ＨＡＲＱ）インジケータチャネル（ＰＨＩＣＨ）もまた、スロット０のシンボル０内にあり、物理アップリンク共有チャネル（ＰＵＳＣＨ）に基づいて、ＨＡＲＱ確認応答（acknowledgement）（ＡＣＫ）／否定ＡＣＫ（ＮＡＣＫ）フィードバックを示すＨＡＲＱインジケータ（ＨＩ）を搬送する。プライマリ同期チャネル（ＰＳＣＨ）は、フレームのサブフレーム０および５内のスロット０のシンボル６内にあり、サブフレームタイミングおよび物理レイヤ識別情報（identity）を決定するためにＵＥによって使用されるプライマリ同期信号（ＰＳＳ）を搬送する。セカンダリ同期チャネル（ＳＳＣＨ）は、フレームのサブフレーム０および５内のスロット０のシンボル５内にあり、物理レイヤセル識別グループ番号を決定するためにＵＥによって使用されるセカンダリ同期信号（ＳＳＳ）を搬送する。物理レイヤ識別情報および物理レイヤセル識別グループ番号に基づいて、ＵＥは、物理セル識別子（ＰＣＩ）を決定し得る。ＰＣＩに基づいて、ＵＥは、上述のＤＬ−ＲＳのロケーションを決定し得る。物理ブロードキャストチャネル（ＰＢＣＨ）は、フレームのサブフレーム０のスロット１のシンボル０、１、２、３内にあり、マスタ情報ブロック（ＭＩＢ）を搬送する。ＭＩＢは、ＤＬシステム帯域幅中のＲＢの数、ＰＨＩＣＨ構成、およびシステムフレーム番号（ＳＦＮ）を提供する。物理ダウンリンク共有チャネル（ＰＤＳＣＨ）は、ユーザデータ、システム情報ブロック（ＳＩＢ）のようなＰＢＣＨを通じて送信されないブロードキャストシステム情報、およびペ���ジングメッセージを搬送する。
【００３８】
[0050]  図２Ｃにおいて例示されているように、ＲＥのいくつかは、ｅＮＢでのチャネル推定のために、復調基準信号（ＤＭ−ＲＳ）を搬送する。ＵＥは加えて、サブフレームの最後のシンボルにおいて、サウンディング基準信号（ＳＲＳ）を送信し得る。ＳＲＳはコーム（comb）構造を有し得、ＵＥは、コームのうちの１つ上でＳＲＳを送信し得る。ＳＲＳは、ＵＬ上での周波数依存スケジューリングをイネーブルにするチャネル品質推定のためにｅＮＢによって使用され得る。図２Ｄは、フレームのＵＬサブフレーム内の様々なチャネルの例を例示している。物理ランダムアクセスチャネル（ＰＲＡＣＨ）は、ＰＲＡＣＨ構成に基づいたフレーム内の１つまたは複数のサブフレーム内にあり得る。ＰＲＡＣＨは、１つのサブフレーム内に６つの連続したＲＢペアを含み得る。ＰＲＡＣＨは、ＵＥが初期（initial）システムアクセスを実行し、ＵＬ同期を実現することを可能にする。ＰＵＣＣＨは、ＵＬシステム帯域幅の両端に（on edges）位置し得る。ＰＵＣＣＨは、スケジューリングリクエスト、チャネル品質インジケータ（ＣＱＩ）、プリコーディングマトリクスインジケータ（ＰＭＩ）、ランクインジケータ（ＲＩ）、およびＨＡＲＱ  ＡＣＫ／ＮＡＣＫフィードバックのようなアップリンク制御情報（ＵＣＩ）を搬送する。ＰＵＳＣＨはデータを搬送し、加えて、バッファステータスレポート（ＢＳＲ）、電力ヘッドルームレポート（ＰＨＲ）、および／またはＵＣＩを搬送するために使用され得る。
【００３９】
[0051]  図３は、アクセスネットワークにおいて、ＵＥ３５０と通信しているｅＮＢ３１０のブロック図である。ＤＬでは、ＥＰＣ１６０からのＩＰパケットがコントローラ／プロセッサ３７５に提供され得る。コントローラ／プロセッサ３７５は、レイヤ３およびレイヤ２の機能性を実装する。レイヤ３は、無線リソース制御（ＲＲＣ）レイヤを含み、レイヤ２は、パケットデータコンバージェンスプロトコル（ＰＤＣＰ）レイヤ、無線リンク制御（ＲＬＣ）レイヤ、および媒体アクセス制御（ＭＡＣ）レイヤを含む。コントローラ／プロセッサ３７５は、システム情報（たとえば、ＭＩＢ、ＳＩＢ）のブロードキャスト、ＲＲＣ接続制御（たとえば、ＲＲＣ接続ページング、ＲＲＣ接続確立、ＲＲＣ接続変更、およびＲＲＣ接続解放）、インター無線アクセス技術（ＲＡＴ）モビリティ、ＵＥ測定報告のための測定構成に関連付けられたＲＲＣレイヤ機能性；ヘッダ圧縮／圧縮解除、セキュリティ（暗号化、暗号解読、インテグリティ保護、インテグリティ検証）、およびハンドオーバサポート機能に関連付けられたＰＤＣＰレイヤ機能性；上位レイヤパケットデータユニット（ＰＤＵ）の転送、ＡＲＱを通じた誤り訂正、ＲＬＣサービスデータユニット（ＳＤＵ）の連結とセグメント化と再構築（reassembly）、ＲＬＣデータＰＤＵの再セグメント化、およびＲＬＣデータＰＤＵの再順序付けに関連付けられたＲＬＣレイヤ機能性；ならびに論理チャネルとトランスポートチャネルとの間のマッピング、トランスポートブロック（ＴＢ）へのＭＡＣ  ＳＤＵの多重化、ＴＢからのＭＡＣ  ＳＤＵの逆多重化、スケジューリング情報報告、ＨＡＲＱを通じた誤り訂正、優先処理（priority handling）、および論理チャネル優先順位付けに関連付けられたＭＡＣレイヤ機能性を提供する。
【００４０】
[0052]  送信（ＴＸ）プロセッサ３１６および受信（ＲＸ）プロセッサ３７０は、様々な信号処理機能に関連付けられたレイヤ１の機能性を実装する。物理（ＰＨＹ）レイヤを含むレイヤ１は、トランスポートチャネル上での誤り検出、トランスポートチャネルの前方向誤り訂正（ＦＥＣ）コーディング／復号、インターリービング、レートマッチング、物理チャネル上へのマッピング、物理チャネルの変調／復調、およびＭＩＭＯアンテナ処理を含み得る。ＴＸプロセッサ３１６は、様々な変調スキーム（たとえば、２相位相変調（ＢＰＳＫ）、４相位相変調（ＱＰＳＫ）、Ｍ相位相変調（Ｍ−ＰＳＫ）、Ｍ値直交振幅変調（Ｍ−ＱＡＭ））に基づいて信号コンステレーションにマッピングすることをハンドリングする。コーディングおよび変調されたシンボルはその後、並列ストリームに分けられ得る。各ストリームはその後、ＯＦＤＭサブキャリアにマッピングされ、時間および／または周波数ドメインにおいて基準信号（たとえば、パイロット）と多重化され、その後逆高速フーリエ変換（ＩＦＦＴ）を使用して互いに組み合わされて、時間ドメインＯＦＤＭシンボルストリームを搬送する物理チャネルを作り出し得る。当該ＯＦＤＭストリームは、空間的にプリコーディングされて、複数の空間ストリームを作り出す。チャネル推定器３７４からのチャネル推定値は、コーディングおよび変調スキームを決定するためと、それに加えて空間処理のために使用され得る。当該チャネル推定値は、ＵＥ３５０によって送信されたチャネル状態フィードバックおよび／または基準信号から導出され得る。各空間ストリームはその後、別個の送信機３１８ＴＸを介して異なるアンテナ３２０に提供され得る。各送信機３１８ＴＸは、送信のためにそれぞれの空間ストリームでＲＦキャリアを変調し得る。
【００４１】
[0053]  ＵＥ３５０で、各受信機３５４ＲＸは、それぞれのアンテナ３５２を通じて信号を受信する。各受信機３５４ＲＸは、ＲＦキャリア上に変調された情報を復元し、当該情報を受信（ＲＸ）プロセッサ３５６に提供する。ＴＸプロセッサ３６８およびＲＸプロセッサ３５６は、様々な信号処理機能に関連付けられたレイヤ１の機能性を実装する。ＲＸプロセッサ３５６は、当該情報に対して空間処理を実行して、ＵＥ３５０に宛てられたいずれの空間ストリームも復元し得る。複数の空間ストリームがＵＥ３５０に宛てられている場合、それらは、ＲＸプロセッサ３５６によって組み合わされて単一のＯＦＤＭシンボルストリームになり得る。ＲＸプロセッサ３５６はその後、当該ＯＦＤＭシンボルストリームを、高速フーリエ変換（ＦＦＴ）を使用して時間ドメインから周波数ドメインにコンバートする。当該周波数ドメイン信号は、ＯＦＤＭ信号の各サブキャリアに対して別個のＯＦＤＭシンボルストリームを備える。各サブキャリア上のシンボル、および基準信号は、ｅＮＢ３１０によって送信された最も可能性の高い（most likely）信号コンステレーションポイントを決定することによって復元および復調される。これらの軟判定は、チャネル推定器３５８によって計算されたチャネル推定値に基づき得る。当該軟判定はその後、復号およびデインターリーブされて、物理チャネル上でｅＮＢ３１０によって元々送信されたデータおよび制御信号を復元する。当該データおよび制御信号はその後、レイヤ３およびレイヤ２の機能性を実装するコントローラ／プロセッサ３５９に提供される。
【００４２】
[0054]  コントローラ／プロセッサ３５９は、プログラムコードおよびデータを記憶するメモリ３６０に関連付けられ得る。メモリ３６０は、コンピュータ可読媒体と称され得る。ＵＬでは、コントローラ／プロセッサ３５９は、ＥＰＣ１６０からのＩＰパケットを復元するために、トランスポートチャネルと論理チャネルとの間での逆多重化、パケット再構築、暗号解読、ヘッダ圧縮解除、制御信号処理を提供する。コントローラ／プロセッサ３５９はまた、ＨＡＲＱ演算をサポートするために、ＡＣＫおよび／またはＮＡＣＫプロトコルを使用する誤り検出を担う。
【００４３】
[0055]  ｅＮＢ３１０によるＤＬ送信に関係して説明された機能性と同様に、コントローラ／プロセッサ３５９は、システム情報（たとえば、ＭＩＢ、ＳＩＢ）獲得、ＲＲＣ接続、および測定報告に関連付けられたＲＲＣレイヤ機能性；ヘッダ圧縮／圧縮解除、およびセキュリティ（暗号化、暗号解読、インテグリティ保護、インテグリティ検証）に関連付けられたＰＤＣＰレイヤ機能性；上位レイヤＰＤＵの転送、ＡＲＱを通じた誤り訂正、ＲＬＣ  ＳＤＵの連結とセグメント化と再構築、ＲＬＣデータＰＤＵの再セグメント化、およびＲＬＣデータＰＤＵの再順序付けに関連付けられたＲＬＣレイヤ機能性；ならびに論理チャネルとトランスポートチャネルとの間のマッピング、ＴＢ上へのＭＡＣ  ＳＤＵの多重化、ＴＢからのＭＡＣ  ＳＤＵの逆多重化、スケジューリング情報報告、ＨＡＲＱを通じた誤り訂正、優先処理、および論理チャネル優先順位付けに関連付けられたＭＡＣレイヤ機能性を提供する。
【００４４】
[0056]  ｅＮＢ３１０によって送信されたフィードバックまたは基準信号からチャネル推定器３５８によって導出されたチャネル推定値は、適切なコーディングおよび変調スキームを選択するために、および空間処理を容易にするために、ＴＸプロセッサ３６８によって使用され得る。ＴＸプロセッサ３６８によって生成された複数の空間ストリームは、別々の複数の送信機３５４ＴＸを介して異なるアンテナ３５２に提供され得る。各送信機３５４ＴＸは、送信のためにそれぞれの空間ストリームでＲＦキャリアを変調し得る。
【００４５】
[0057]  ＵＬ送信は、ＵＥ３５０での受信機機能に関係して説明されたものと同様の形式で、ｅＮＢ３１０で処理される。各受信機３１８ＲＸは、そのそれぞれのアンテナ３２０を通じて信号を受信する。各受信機３１８ＲＸは、ＲＦキャリア上に変調された情報を復元し、当該情報をＲＸプロセッサ３７０に提供する。
【００４６】
[0058]  コントローラ／プロセッサ３７５は、プログラムコードおよびデータを記憶するメモリ３７６に関連付けられ得る。メモリ３７６は、コンピュータ可読媒体と称され得る。ＵＬでは、コントローラ／プロセッサ３７５は、ＵＥ３５０からのＩＰパケットを復元するために、トランスポートチャネルと論理チャネルとの間での逆多重化、パケット再構築、暗号解読、ヘッダ圧縮解除、制御信号処理を提供する。コントローラ／プロセッサ３７５からのＩＰパケットは、ＥＰＣ１６０に提供され得る。コントローラ／プロセッサ３７５はまた、ＨＡＲＱ演算をサポートするために、ＡＣＫおよび／またはＮＡＣＫプロトコルを使用する誤り検出を担う。
【００４７】
[0059]  キャリアアグリゲーション
【００４８】
[0060]  ＵＥは、各方向での送信のために使用される最大で合計１００ＭＨｚ（５つのコンポーネントキャリア）のキャリアアグリゲーションにおいて割り振られる最大２０ＭＨｚ帯域幅のスペクトルを使用し得る。一般に、ダウンリンク上よりも少ないトラフィックがアップリンク上で送信されるので、アップリンクスペクトル割振りは、ダウンリンク割振りよりも小さくなり得る。たとえば、２０ＭＨｚがアップリンクに割り当てられる場合、ダウンリンクは、１００Ｍｈｚを割り当てられ得る。これらの非対称ＦＤＤ割当ては、スペクトルを節約し、ブロードバンド加入者による典型的な非対称帯域幅利用にぴったりである。
【００４９】
[0061]  キャリアアグリゲーションタイプ
【００５０】
[0062]  ２つのタイプのキャリアアグリゲーション（ＣＡ）方法、すなわち連続ＣＡおよび非連続ＣＡ、が存在する。当該２つのタイプのＣＡ方法は、図４Ａおよび図４Ｂにおいて例示されている。非連続ＣＡは、複数の利用可能なコンポーネントキャリアが周波数帯域に沿って離れているときに生じる（図４Ｂ）。一方で、連続ＣＡは、複数の利用可能なコンポーネントキャリアが互いに隣接しているときに生じる（図４Ａ）。非連続ＣＡと連続ＣＡの両方が、単一のＵＥにサービス提供するために、複数のＬＴＥ／コンポーネントキャリアをアグリゲートする。
【００５１】
[0063]  キャリアアグリゲーション（ＣＡ）では、ＵＥは、最大５つのコンポーネントキャリア（ＣＣ）で設定され得る。ＣＣの各々が、後方互換性を持ち得る。各ＣＣの帯域幅は、最大２０ＭＨｚであり得る。ＵＥが、ＣＡにおいて最大５つのＣＣで設定され得るので、最大１００ＭＨｚがＵＥのために構成され得る。
【００５２】
[0064]  アグリゲートされたＣＣはすべて、ＦＤＤのために設定され得るか、またはすべてＴＤＤのために構成され得る。代わりとして、アグリゲートされたＣＣは、ＦＤＤのために構成された少なくとも１つのＣＣと、ＴＤＤのために構成された少なくとも１つのＣＣの混合（たとえば、組合せ）であり得る。ＴＤＤのために構成された異なるＣＣは、同じまたは異なるＤＬ／ＵＬ構成を有し得る。特殊（spacial）サブフレームは、ＴＤＤのために設定された異なるＣＣについて異なるように構成され得る。
【００５３】
[0065]  アグリゲートされたＣＣの中で、１つのＣＣが、ＵＥのためのプライマリＣＣ（ＰＣＣ）として構成される。ＰＣＣは、ＵＥのためにＰＵＣＣＨおよび共通探索空間（ＣＳＳ）を搬送する唯一のＣＣであり得る。他のＣＣはすべて、セカンダリＣＣ（ＳＣＣ）と称される。
【００５４】
[0066]  ＰＵＣＣＨは、ＵＥのためにＣＡにおいて２つのＣＣ上でイネーブルにされ得る。たとえば、ＰＣＣに加えて、１つのＳＣＣもまた、ＰＵＣＣＨを搬送できるだろう。これは、たとえば、デュアル接続（Dual-connectivity）およびＰＵＣＣＨ負荷バランシングのニーズに対処するのを助け得る。
【００５５】
[0067]  いくつかのケースでは、セル（ＣＣ（ｓ））は、理想のバックホール（たとえば、ｅＮＢ間の接続）を有さないことがあり、結果として、限定されたバックホールキャパシティおよび無視できないほどのバックホールレイテンシ（数十ミリ秒）に起因して、セル間の厳しい調整が可能でないことがある。デュアル接続は、これらの課題に対処する。
【００５６】
[0068]  デュアル接続では、セルは２つのグループに区分される。当該２つのグループは、プライマリセルグループ（ＰＣＧ）およびセカンダリセルグループ（ＳＣＧ）である。各グループは、ＣＡにおいて１つまたは複数のセルを有し得る。各グループは、ＰＵＣＣＨを搬送する単一のセルを有する。ＰＣＧでは、１つのプライマリセルが、ＰＣＧのためにＰＵＣＣＨを搬送する。ＳＣＧでは、１つのセカンダリセルが、ＳＣＧのためにＰＵＣＣＨを搬送する。このセカンダリセルは、ｐＳｃｅｌｌとも称され得る。
【００５７】
[0069]  アップリンク制御情報（ＵＣＩ）は、各グループに関連付けられたＰＵＣＣＨを介して各グループに別個に伝達される。共通探索空間が、ＵＥによってＳＣＧにおいてモニタされ得る。ＳＰＳ（semi-persistent scheduling）（または、半静的スケジューリング）およびスケジューリングリクエスト（ＳＲ）もまたＳＣＧにおいてサポートされ得る。
【００５８】
[0070]  より上位の帯域幅および増加されたデータレートを提供するためにＣＣの数を５つよりも多く（beyond）増加させるニーズがある。これは、拡張ＣＡと本明細書では称され得、当該拡張ＣＡにしたがってＵＥは、ＣＡのために５つよりも多いＣＣ（たとえば、６つと３２個の間のＣＣ）で構成され得る。拡張ＣＡは、ＳＣｅｌｌ上のＰＵＣＣＨについての物理レイヤ仕様の発展（development）を要求し得、ＤＬおよびＵＬのための増加された数のＣＣ、たとえば、ＤＬおよびＵＬのための３２個のＣＣについてＬＴＥ  ＣＡを可能とするメカニズムが指定され得る。当該メカニズムは、増加された数のＣＣのためのＤＬ制御シグナリングへの拡張を含み得、これは、おそらく、自己スケジューリングとクロスキャリアスケジューリングの両方を含む。当該メカニズムは、５つよりも多い数のＣＣのためのＵＬ制御シグナリングへの拡張を含み得る。上で論じられた拡張は、増加された数のＤＬキャリアについてＰＵＣＣＨ上でＵＣＩフィードバックをサポートするための拡張を含み得る。たとえば、当該拡張は、５つよりも多いＤＬキャリアについてＵＣＩフィードバックをサポートするためのＵＣＩシグナリングフォーマットに関し得る。当該メカニズムはまた、５つよりも多いＤＬキャリアについてＰＵＳＣＨ上でＵＣＩフィードバックをサポートするための拡張も含み得る。
【００５９】
[0071]  拡張されたＣＡ  ＵＣＩフィードバックのための様々な手法が提案される。一手法にしたがうと、５つよりも多いＤＬキャリア（たとえば、最大３２個のＤＬキャリア）についてのＵＣＩフィードバックは、プライマリセル（Ｐｃｅｌｌ）のＰＵＣＣＨ上で搬送され得る。また、５つよりも多いＤＬキャリア（たとえば、最大３２個のＤＬキャリア）についてのＵＣＩフィードバックが、１つのセルのＰＵＳＣＨ上で搬送され得る。この手法は、ＵＬ  ＣＡがＵＬ  ＣＡ対応デバイス（たとえば、ＵＬ  ＣＡ対応ＵＥ）のために構成されていようとなかろうと、適用可能であり得る。この手法はまた、非ＵＬ  ＣＡ対応デバイス（たとえば、非ＵＬ  ＣＬ対応ＵＥ）に適用可能であり得る。
【００６０】
[0072]  別の手法にしたがうと、２つ以上のＰＵＣＣＨセルグループが、５つよりも多いＤＬキャリア（たとえば、最大３２個のＤＬキャリア）のために構成され得る。たとえば、ＤＬキャリアの各々は、ＰＵＣＣＨセルグループのうちの１つに関連付けられ得る。
【００６１】
[0073]  ２つ以上のＰＵＣＣＨセルグループが構成されるとき、各セルグループについてのＰＵＣＣＨの送信は、ＰＵＣＣＨセルグループ間で独立して管理され得る。独立して管理されるＰＵＣＣＨの送信の態様は、ＤＬ  ＨＡＲＱ−ＡＣＫタイミングの決定、ＨＡＲＱ−ＡＣＫおよび／またはＣＳＩを搬送するためのＰＵＣＣＨリソース決定、ＰＵＣＣＨ上でのＨＡＲＱ−ＡＣＫ＋ＣＳＩの送信（たとえば、組み合わされた送信）の上位レイヤ構成、および１つのサブフレームにおけるＨＡＲＱ−ＡＣＫ＋ＳＲＳ（サウンディング基準信号）の送信の上位レイヤ構成、を含み得る。
【００６２】
[0074]  本開示の態様は、拡張ＣＡにおけるＰＵＣＣＨ上でのＵＣＩ（たとえば、ＨＡＲＱ  ＡＣＫ／ＮＡＫおよびＣＳＩ）の管理またはハンドリングを対象としている。
【００６３】
[0075]  ＵＣＩフィードバックは、いくつかのＰＵＣＣＨフォーマットのいずれを介しても提供され得る。ＵＣＩは、ＨＡＲＱ  ＡＣＫ／ＮＡＫ、ＣＳＩおよび／またはＳＲを含み得る。ＰＵＣＣＨフォーマットの各々は、対応するＵＣＩの組合せをサポートし得る。
【００６４】
[0076]  たとえば、ＰＵＣＣＨフォーマット１／１ａ／１ｂは、ＨＡＲＱ  ＡＣＫ／ＮＡＫおよび／またはＳＲを主にサポートし得る。別の例として、ＰＵＣＣＨフォーマット２／２ａ／２ｂは、ＣＳＩおよび／またはＨＡＲＱ  ＡＣＫ／ＮＡＫを主にサポートし得る。別の例として、ＰＵＣＣＨフォーマット３は、ＨＡＲＱ  ＡＣＫ／ＮＡＫと、それに加えてＣＳＩおよび／またはＳＲをサポートし得る。
【００６５】
[0077]  ＰＵＣＣＨ上でのＨＡＲＱ  ＡＣＫ／ＮＡＫとＣＳＩの同時送信は、ＵＥ固有の上位レイヤシグナリングによって有効にされ得る。たとえば、ＵＥは、ＰＵＣＣＨフォーマット２／２ａ／２ｂにしたがってＰＵＣＣＨ上でＡＣＫ／ＮＡＫとＣＳＩを多重化するようにＲＲＣパラメータを介して構成され得る。別の例として、ＵＥは、ＰＵＣＣＨフォーマット３にしたがってＰＵＣＣＨ上でＡＣＫ／ＮＡＫとＣＳＩを多重化するようにＲＲＣパラメータを介して構成され得る。
【００６６】
[0078]  ＰＵＣＣＨフォーマット３にしたがうと、ＡＣＫ／ＮＡＫおよびＣＳＩ（および／またはＳＲ）は、ジョイントコーディングされ、共通のリソースのセット上にマッピングされ得る。したがって、ＡＣＫ／ＮＡＫフィードバックのビットおよびＣＳＩのビットが、ＡＣＫ／ＮＡＫフィードバックおよびＣＳＩの送信に関して等しく扱われる。
【００６７】
[0079]  ＵＥは、周期的ＣＳＩおよび／または非周期的ＣＳＩを報告し得る。ＣＳＩのタイプは、ランクインジケータ（ＲＩ）、プリコーディングマトリクスインジケータ（ＰＭＩ）、プリコーディングタイプインジケータ（ＰＴＩ）、広域チャネル品質インジケータ（ＣＱＩ）、およびサブバンドＣＱＩを含み得る。
【００６８】
[0080]  周期的ＣＳＩに関して、いくつかのタイプのＣＳＩがジョイントコーディングされ、ともに送信され得る。たとえば、ＲＩおよびＰＴＩがジョイントコーディングされ得る。別の例として、ＰＭＩおよび広帯域ＣＱＩがジョイントコーディングされ得る。
【００６９】
[0081]  単一ＣＣに対応する２つ以上のタイプの周期的ＣＳＩは、送信のためにスケジューリングされるとき、衝突し得る。たとえば、２つ以上のタイプの周期的ＣＳＩがすべて、同じサブフレームにおける送信のためにスケジューリングされ得る。そのような状況では、周期的ＣＳＩのすべてが送信されるわけではないことがある。たとえば、たった１つのタイプの周期的ＣＳＩのみが送信され得る。
【００７０】
[0082]  衝突が生じるときに送信されるＣＳＩのタイプは、当該ＣＳＩのタイプのランキングまたは優先度のレベルに基づき得る。たとえば、ＲＩ／ＰＴＩは、ＣＱＩよりも上にランクし得る。したがって、ＲＩ／ＰＴＩおよびＣＱＩが１つのサブフレームにおいて衝突する場合、ＲＩ／ＰＴＩは送信され得るけれどもＣＱＩはドロップされる（たとえば、送信されない）。様々な態様にしたがって、ＣＳＩのタイプは、優先度の高いものから順に（in decreasing order）、以下：ＲＩ／ＰＴＩ、ＰＭＩ、広帯域ＣＱＩ、サブバンドＣＱＩのようにランク付され得る。
【００７１】
[0083]  ２つ以上のＣＣに対応する周期的ＣＳＩが、１つのサブフレームにおいて衝突し得る。こうした状況では、周期的ＣＳＩのすべてが送信されるわけではないことがある。たとえば、たった１つのＣＣについての周期的ＣＳＩが送信されるけれども残りの（the other）ＣＣ（複数を含む）についての周期的ＣＳＩはドロップされる。
【００７２】
[0084]  周期的ＣＳＩが送信されるＣＣは、周期的ＣＳＩについてのランキングまたは優先度のレベルに基づき得る。前述したように、ＣＳＩは、優先度の高いものから順に、以下：ＲＩ／ＰＴＩ、ＰＭＩ、広帯域ＣＱＩ、サブバンドＣＱＩのようにランク付され得る。したがって、第１のＣＣについてのＲＩ／ＰＴＩおよび第２のＣＣについてのＣＱＩが１つのサブフレームにおいて衝突する場合、第１のＣＣについての周期的ＣＳＩ（たとえば、ＲＩ／ＰＴＩ）は送信され得るけれども第２のＣＣについての周期的ＣＳＩ（たとえば、ＣＱＩ）はドロップされ得る。
【００７３】
[0085]  ２つ以上のＣＣに対応する、衝突する周期的ＣＳＩが同じタイプである場合、周期的ＣＳＩが送信されるＣＣは、ＣＣの対応するセルＩＤに基づき得る。たとえば、セルＩＤがより低いＣＣは、セルＩＤがより高い別のＣＣよりも高い優先度を与えられ得、または代わりとして、セルＩＤがより高いＣＣは、セルＩＤがより低い別のＣＣよりも高い優先度を与えられ得る。したがって、第１のＣＣについてのＲＩ／ＰＴＩおよび第２のＣＣについてのＲＩ／ＰＴＩが１つのサブフレームにおいて衝突する場合、周期的ＣＳＩが送信されるＣＣは、第１および第２のＣＣのセルＩＤに基づき得る。第１のＣＣのセルＩＤが第２のＣＣのセルＩＤよりも低い場合、第１のＣＣについての周期的ＣＳＩ（たとえば、ＲＩ／ＰＴＩ）が送信され得るけれども、第２のＣＣについての周期的ＣＳＩ（たとえば、ＲＩ／ＰＴＩ）はドロップされ得る。
【００７４】
[0086]  非周期的ＣＳＩに関して、複数のＣＣおよび／または複数のタイプのＣＳＩがジョイントコーディングされ、ＰＵＳＣＨ上で送信され得る。たとえば、複数のキャリアについてのＣＱＩ／ＰＭＩがジョイントコーディングされ得る。また、ＣＱＩ／ＰＭＩのためのリソースマッピングがジョイント形式で（in a joint manner）実行され得る。ＲＩ／ＰＴＩは、ＣＱＩ／ＰＭＩのコーディングとは別個にジョイントコーディングされ得る。また、ＲＩ／ＰＴＩのためのリソースマッピングが、ＣＱＩ／ＰＭＩのためのリソースマッピングとは別個のジョイント形式で実行され得る。
【００７５】
[0087]  ＡＣＫ／ＮＡＫは、１つまたは複数のＣＣを介して受信されるデータに関連するフィードバックを提供するために使用され得る。前述のように、より高い帯域幅および増加されたデータレートを提供するためにＣＣの数を５つを超えて増加させるニーズがある。より多数のＣＣがＵＥのために構成されると、ＵＥは、ＡＣＫ／ＮＡＫ情報の多数のビットを送る必要があり得る。構成されたＣＣの数に応じて、ＡＣＫ／ＮＡＫビットの数は、１００ビットのオーダで（たとえば、１００ビット以上）であり得る。
【００７６】
[0088]  より多数のＣＣが構成されると、周期的ＣＳＩがドロップされるＣＣの数もまた増加し得る。先に説明されたように、２つ以上のＣＣに対応する周期的ＣＳＩのすべてが、当該周期的ＣＳＩが同じサブフレームにおいて衝突するときに送信されるわけではないことがある。この状況は、より多数のＣＣが構成されるときに、より問題になり得る。たとえば、１つのＣＣについて周期的ＣＳＩが単一のサブフレームにおいて送信され得る場合、周期的ＣＳＩがドロップされるＣＣの数は、より多数のＣＣが構成（およびアクティベート）されると増加し得る。当該状況は、フレームごとの利用可能なアップリンクサブフレームの数が限定され得るＴＤＤシステムの分野でより顕著になり得る。
【００７７】
[0089]  本開示の態様は、１つまたは複数の追加のＰＵＣＣＨフォーマットを対象としている。当該１つまたは複数の追加のＰＵＣＣＨフォーマットは、先に着目されたＰＵＣＣＨフォーマット（たとえば、ＰＵＣＣＨフォーマット１／１ａ／１ｂ、ＰＵＣＣＨフォーマット２／２ａ／２ｂ、ＰＵＣＣＨフォーマット３）とは異なり得る。たとえば、１つまたは複数の追加のＰＵＣＣＨフォーマットは、より大きいＡＣＫ／ＮＡＫペイロード（たとえば、おおよそ１００ビットまたはそれより多いペイロード）をハンドリングするように良好に適合し得る。さらに、１つまたは複数の追加のＰＵＣＣＨフォーマットは、たとえば、２つ以上のＣＣについて周期的ＣＳＩおよび／またはＳＲの多重化をハンドリングすることにより良好に適合し得る。たとえば、１つまたは複数の追加のＰＵＣＣＨフォーマットは、単一のサブフレームにおける２つ以上のＣＣについての周期的ＣＳＩの送信をサポートし得る。
【００７８】
[0090]  １つまたは複数の追加のＰＵＣＣＨフォーマットは、ＡＣＫ／ＮＡＫのためのより大きいペイロードと、それに加えて周期的ＣＳＩのためのより大きいペイロードをサポートし得る。こうした状況では、ＡＣＫ／ＮＡＫが、ＣＳＩについてのパフォーマンスターゲットとは異なるパフォーマンスターゲットを有するので、ＡＣＫ／ＮＡＫおよびＣＳＩのジョイントコーディング（たとえば、ＰＵＣＣＨフォーマット３にしたがって実行されるジョイントコーディング）が有効でないことがある。したがって、ジョイントコーディングを使用して両者のパフォーマンスターゲットを満たすために、ＡＣＫ／ＮＡＫおよびＣＳＩの両方が、当該２つのパフォーマンスターゲットのうちの高い方のパフォーマンスターゲットを満たす必要があるだろう。たとえば、ＡＣＫ／ＮＡＫおよびＣＳＩが各々、異なるパフォーマンスターゲットに関連付けられ得ると仮定する。たとえば、ＣＳＩについて４％の誤差レートが許容可能であり得るのに対し、ＡＣＫ／ＮＡＫについては０．１％の誤差レートが許容可能であり得る。ＡＣＫ／ＮＡＫおよびＣＳＩのジョイントコーディングは、ＡＣＫ／ＮＡＫとＣＳＩの両方が０．１％の誤差レートを満たすことを要求し得る。したがって、ジョイントコーディングでは、当該ＣＳＩ誤差レートは、要求されるよりもずっと低い。ＡＣＫ／ＮＡＫおよびＣＳＩのジョイントコーディングは、ＡＣＫ／ＮＡＫおよびＣＳＩを互いからはっきりと区別できず、ＡＣＫ／ＮＡＫまたはＣＳＩのそれぞれのパフォーマンスターゲットに明確に対処し得ない。ジョイントコーディングは、より小さいＡＣＫ／ＮＡＫおよびＣＳＩペイロード（たとえば、１０ビットオーダのペイロード）に許容可能であり得るが、ジョイントコーディングは、より大きいＡＣＫ／ＮＡＫおよびＣＳＩペイロード（たとえば、１００ビットのオーダのペイロード）がかかわると、さらなる複雑さをもたらし（introduce）得る。
【００７９】
[0091]  本開示の態様にしたがうと、ＡＣＫ／ＮＡＫとＣＳＩの別個の符号化が実行され得る。たとえば、ＡＣＫ／ＮＡＫの符号化がＣＳＩの符号化とは別個に実行され得る。代わりとして（または加えて）、ＡＣＫ／ＮＡＫおよびＣＳＩのために別個のリソースマッピングが実行され得る。たとえば、ＡＣＫ／ＮＡＫのためのリソースマッピングは、ＣＳＩのためのリソースマッピングとは別個に実行され得る。
【００８０】
[0092]  別個の符号化／リソースマッピングは、異なるタイプの非周期的ＣＳＩがＰＵＳＣＨ上でハンドリングされる形式に類似した形式（manner）で実行され得る。たとえば−ＰＵＳＣＨ上の非周期的ＣＳＩに関して先に述べたように、ＣＱＩ／ＰＭＩは、ジョイントコーディングされ得、ＲＩ／ＰＴＩは、ＣＱＩ／ＰＭＩのコーディングとは異なった（distinct from）、ジョイントコーディングされ得る。
【００８１】
[0093]  一態様にしたがうと、別個のコーディングおよび／または別個のリソースマッピングが、ＰＵＣＣＨ上で異なるタイプのＵＣＩを送るために実行され得る。先に述べたように、異なるタイプのＵＣＩが、ＡＣＫ／ＮＡＫおよび様々なタイプのＣＳＩ（たとえば、ＣＱＩ、ＰＭＩ、ＰＴＩ、およびＲＩ）を含み得る。特定の態様にしたがうと、ＡＣＫ／ＮＡＫのためのコーディング／リソースマッピングは、ＣＳＩのためのコーディング／リソースマッピングとは別個に実行され得る。
【００８２】
[0094]  図５は、本明細書で説明されているシステムおよび方法にしたがった、例となる通信システム５００を例示している図である。通信システム５００は、基地局５０２（たとえば、ｅＮＢ）および２つのＵＥ５０４、５０６を含む。
【００８３】
[0095]  いくつかの例では、ＵＥ５０４、５０６は、複数のＰＵＣＣＨフォーマットから１つのＰＵＣＣＨフォーマットを選択する際に適用すべき第１のしきい値を決定する。当該ＰＵＣＣＨフォーマットは、第１のＰＵＣＣＨ送信のために使用され得る。当該ＰＵＣＣＨフォーマットの選択の際に適用すべき第１のしきい値は、可能性のある値のセットから決定され得る。当該値のセットは、一連のＰＵＣＣＨフォーマットのうちの１つが使用されるときを定義するしきい値のセット、たとえば、以下のＵＥ５０４およびＵＥ５０６のために定義される値のセットであり得る。
【００８４】
[0096]  ＵＥ５０４、５０６は、第１のＰＵＣＣＨ送信のための第１のペイロードの第１のサイズを決定し、第１のサイズおよび第１のしきい値に基づいて、第１のＰＵＣＣＨ送信のための第１のＰＵＣＣＨフォーマットを選択し得る。
【００８５】
[0097]  別の例では、基地局５０２は、複数のＰＵＣＣＨフォーマットから１つのＰＵＣＣＨフォーマットを選択する際に適用すべき第１のしきい値を選択する。当該ＰＵＣＣＨフォーマットは、ＵＥ５０４、５０６による第１のＰＵＣＣＨ送信のために使用される。
[0098]  基地局５０２は、ＵＥ５０４、５０６から第１のＰＵＣＣＨ送信を受信する。加えて、第１のＰＵＣＣＨ送信は、選択されたしきい値を使用する。
【００８６】
[0099]  様々な通信システムにおいて、個別のＰＵＣＣＨパフォーマンス（したがって、ＵＥ５０４、５０６電力消費）と、各個別のＵＥ５０４、５０６のチャネル／干渉状態を考慮に入れるべき、ｅＮＢ（基地局５０２）におけるＰＵＣＣＨ多重化と、のトレードオフが存在し得る。チャネル状態が良好なＵＥ５０４、５０６では、より大きい多重化能力を与えるＰＵＣＣＨフォーマット（たとえば、ＰＵＣＣＨフォーマット３またはＰＵＣＣＨフォーマット４）を用いたわずかに悪いＰＵＣＣＨパフォーマンスは、許容可能であり得る。ＵＥ５０４、５０６は、より多くのＵＥ５０４、５０６が同じＲＢにおいて多重化されることを可能とし得るＰＵＣＣＨパフォーマンスターゲットを満たすために、わずかに大きい送信電力を送信する必要があり得る。
【００８７】
[00100]  チャネル状況の悪いＵＥ５０４、５０６では、ＵＥ５０４、５０６が電力制限を経験し得、それによりＵＥ５０４、５０６が、落とされた（compromised）ＰＵＣＣＨパフォーマンスを経験し得るので、ＰＵＣＣＨパフォーマンスはより重要になり得る。落とされたＰＵＣＣＨパフォーマンスは、何らかの方法で制限されているＰＵＣＣＨパフォーマンスを含み得る。たとえば、ＰＵＣＣＨキャパシティまたはＰＵＣＣＨカバレッジのようなＰＵＣＣＨパフォーマンスは、干渉信号の数に起因して干渉制限され得る（interference limited）。一般に、劣悪なチャネル状況は、ＰＵＣＣＨキャパシティまたはＰＵＣＣＨカバレッジのようなＰＵＣＣＨパフォーマンスに悪影響を及ぼし得、ＰＵＣＣＨキャパシティ、ＰＵＣＣＨカバレッジ、またはその両方を減少させる。落とされたＰＵＣＣＨパフォーマンスは概して望ましくない。より低い多重化能力ほど、悪いチャネル状況中、より良好なＰＵＣＣＨパフォーマンスにトレードされ得る。
【００８８】
[00101]  したがって、いくつかの態様では、ＵＥ固有のしきい値が、（特定のＵＥ５０４、５０６において）特定のＰＵＣＣＨ送信のためにどのＰＵＣＣＨフォーマットを使用すべきかを決定する際に使用され得る。
【００８９】
[00102]  以下の例は、２つの可能性のあるしきい値のセットを例示している。
【００９０】
[00103]  ＵＥ５０４：
[00104]  ３〜１６ビットで、ＰＵＣＣＨフォーマット３
[00105]  １７〜４８ビットで、ＰＵＣＣＨフォーマット４
[00106]  ４９〜１３６ビットで、ＰＵＣＣＨフォーマット５
[00107]  ＵＥ５０６：
[00108]  ３〜２４ビットで、ＰＵＣＣＨフォーマット３
[00109]  ２５〜７２ビットで、ＰＵＣＣＨフォーマット４
[00110]  ７３〜１３６ビットで、ＰＵＣＣＨフォーマット５
【００９１】
[00111]  例となるしきい値または他のしきい値は、本明細書で説明されているシステムおよび方法に関連して使用され得る。例となるしきい値（または他のしきい値）は、サブフレームのために使用すべきＰＵＣＣＨフォーマットを決定するために（たとえば、ビット数で（in number of bits）測定される）ＡＣＫ／ＮＡＫペイロードと（たとえば、ビット数で測定される）しきい値との間の例となる比較を提供している。
【００９２】
[00112]  いくつかの態様では、ＡＣＫ／ＮＡＫペイロード決定は、構成された、アクティベートされた、または検出されたＣＣに基づき得、グラント（grant）中のインジケーションにも基づき得る。加えて、ＣＳＩおよび／またはＳＲペイロードもまた、ＣＳＩおよび／またはＳＲがＰＵＣＣＨ上でＨＡＲＱ  ＡＣＫ／ＮＡＫと多重化される場合に使用され得る。他の態様では、しきい値が、ＵＥ固有であるＲＲＣ構成を介して送られ得る。加えて、２つ以上のＰＵＣＣＨグループが存在する場合、各グループは、同じまたは異なるしきい値を有し得る
[00113]  上で説明されたように、本明細書で説明されているシステムおよび方法は、基地局５０２のような基地局ともに使用され得る。基地局５０２は、個別のＵＥ５０４、５０６、および／またはＵＥのグループのＰＵＣＣＨパフォーマンスニーズならびに／あるいは多重化ニーズに応じて、ＵＥ５０４、５０６のうちの１つまたは複数についてしきい値を設定し得る。
【００９３】
[00114]  基地局５０２、たとえばｅＮＢは、各ＵＥ５０４、５０６のチャネル状態に基づいて、どの（１つまたは複数の）しきい値を使用すべきかを決定し得る。チャネル状態は、（特定のＰＵＣＣＨグループについての）ＲＳＲＰ、ＣＳＩ報告、ＰＨＲ、またはＵＥレベルでの、もしくはＵＥのグループについてのチャネル状態の他の測定値に基づき得る。
【００９４】
[00115]  基地局５０２、たとえばｅＮＢはまた、セル中のＵＥ５０４、５０６の数に基づいて使用されるしきい値を決定し得る。たとえば、いくつかの（たとえば、３つの）ＵＥ５０４、５０６がセル中に位置する場合、しきい値は、セルにおけるＰＵＣＣＨパフォーマンスを改善するために選択され得る。たとえば、ＵＥ５０４、５０６が少ししかないセルでは、ＰＵＣＣＨパフォーマンスは、しきい値を決定する際の駆動因子（driving factor）であり得る。代わりとして、多数のＵＥ５０４、５０６がセルにおいてＰＵＣＣＨを使用する場合、ＰＵＣＣＨ多重化能力が、しきい値を決定する際の駆動因子であり得る。何が「非常に限定された数のＵＥ」を構成するのか、および何が「より多数のＵＥ」を構成するのかは、システムごとに異なり得、システムに利用可能な通信リソース、たとえば帯域幅、に基づき得る。したがって、「非常に限定された数の（very limited number of）ＵＥ」についてのＵＥの数、および「より多数のＵＥ」についてのＵＥの数、の選択は、システムごとに異なり得る。たとえば、多数のＵＥの定義は、システム中の帯域幅に、当該帯域幅がサポートできるＵＥの数に基づいて、関連し得る。たとえば、所与のシステムについての帯域幅がｘであり、各ＵＥが帯域幅中の１／１０ｘを使用する場合、１０個のＵＥが「より多数のＵＥ」と考えられるかもしれない。一方で、各ＵＥが１／１００ｘを使用する場合、１０個のＵＥが「非常に限定された数のＵＥ」と考えられ得る。さらに、各ＵＥが１／１０ｘを使用するが、ＵＥのうちの２５％しか、実際には所与の時間に帯域幅をアクティブに使用していない場合、１０個のＵＥは依然として、限定された数のＵＥと考えられ得る。
【００９５】
[00116]  図６は、本明細書で説明されているシステムおよび方法にしたがった、ワイヤレス通信の方法を例示しているフローチャート６００である。ブロック６０２で、ＵＥ、たとえば図１のＵＥ１０４、図３のＵＥ３５０、または図５のＵＥ５０４、５０６は、複数のフォーマットから１つのフォーマットを、たとえば複数のＰＵＣＣＨフォーマットから１つのＰＵＣＣＨフォーマットを、選択する際に適用すべき第１のしきい値を決定する。たとえば、コントローラ／プロセッサ３５９、ＴＸプロセッサ３６８、ＲＸプロセッサ３５６、または他の処理回路が、複数のフォーマットからＵＥによって使用される１つのフォーマットを選択する際に適用すべき第１のしきい値を決定し得る。当該フォーマットは、制御情報の第１の送信のために使用され得る。加えて、当該フォーマットの選択の際に適用すべき第１のしきい値は、可能性のある値のセットから決定され得る。当該値のセットは、一連のＰＵＣＣＨフォーマットのうちの１つが使用されるときを定義する構成されたしきい値のセット、たとえば、以下で例示されるセット１およびセット２、であり得る。
【００９６】
[00117]  いくつかの例では、第１のしきい値を決定することは、設定されたしきい値のセットから第１のしきい値を決定することを含み得る。たとえば、フォーマットがＰＵＣＣＨフォーマットであると仮定する。チャネル状態が良好なＵＥでは、より大きい多重化能力を与えるＰＵＣＣＨフォーマット、たとえばＰＵＣＣＨフォーマット３またはＰＵＣＣＨフォーマット４、を用いるわずかに悪いＰＵＣＣＨパフォーマンスは、好ましくあり得る。したがって、良好なチャネル状態では、ＵＥ１０４は、ＰＵＣＣＨフォーマット３またはＰＵＣＣＨフォーマット４に有利に働く（favor）しきい値のセットで構成され得る。逆に、悪いチャネル状態を経験しているＵＥでは、ＰＵＣＣＨパフォーマンスは、落とされた（compromised）ＰＵＣＣＨパフォーマンスを回避するためにより重要であり得る。したがって、悪いチャネル状態では、ＵＥ１０４は、ＰＵＣＣＨフォーマット５に有利に働くしきい値のセットで構成され得る。
【００９７】
[00118]  良好なチャネル状態では、たとえば、フォーマット３のための最大２４ビットのペイロードサイズのしきい値は、フォーマット３のための最大１６ビットのペイロードサイズのしきい値よりも好ましい。したがって、フォーマット３のための最大２４ビットのペイロードサイズを含むしきい値の第１のセットと、フォーマット３のための最大１６ビットのペイロードサイズを含むしきい値の第２のセットとの間では、良好なチャネル状態について、フォーマット３のための２４ビットサイズの最大しきい値を含むしきい値の第１のセットが選択され得る。いくつかの態様では、しきい値が個別に選択され得る一方で、他の態様ではしきい値はセット単位で（in sets）選択され得る。
【００９８】
[00119]  悪いチャネル状態では、たとえば、フォーマット３のための最大１６ビットのペイロードサイズのしきい値が、フォーマット３のための最大２４ビットのペイロードサイズをもつしきい値よりも好ましい。したがって、フォーマット３のための最大２４ビットのペイロードサイズを含むしきい値の第１のセットと、フォーマット３のための最大１６ビットのペイロードサイズをもつしきい値の第２のセットとの間では、悪いチャネル状態について、最大１６ビットのペイロードサイズのしきい値をもつしきい値の第２のセットが選択され得る。
【００９９】
[00120]  ある特定の態様では、選択される（１つまたは複数の）しきい値は、一連のしきい値、たとえば以下でリストアップされるセット１およびセット２、のうちの１つであり得る。したがって、多くの個別のしきい値を含むペイロードビットサイズの範囲が選択され得る。したがって、しきい値（thresholds）は、多くのしきい値を含むしきい値のセット全体として選択され得る。したがって、以下の例となるしきい値のセットを前提とすると、良好なチャネル状態では、セット２が好まれ得る。悪いチャネル状況では、セット１が好まれ得る。
【０１００】
[00121]  セット１：
[00122]  ３〜１６ビット（ペイロードサイズ）で、ＰＵＣＣＨフォーマット３
[00123]  １７〜４８ビットで、ＰＵＣＣＨフォーマット４
[00124]  ４９〜１３６ビットで、ＰＵＣＣＨフォーマット５
[00125]  セット２
[00126]  ３〜２４ビットで、ＰＵＣＣＨフォーマット３
[00127]  ２５〜７２ビットで、ＰＵＣＣＨフォーマット４
[00128]  ７３〜１３６ビットで、ＰＵＣＣＨフォーマット５
【０１０１】
[00129]  いくつかの例では、第１のしきい値を決定することは、たとえば基地局から、第１のしきい値（またはしきい値のセット）を受信することを含む。したがって、本明細書で説明されているように、第１のしきい値は、ＵＥに送信され得る。たとえば、いくつかの態様では、第１のしきい値が基地局から受信される。いくつかの例では、第１のしきい値はＲＲＣ構成される。たとえば、第１のしきい値を受信することは、ＲＲＣ構成（configuration）メッセージを受信することを含み得る。
【０１０２】
[00130]  ブロック６０４で、ＵＥ、たとえばＵＥ１０４、３５０、５０４、５０６は、第１の送信のための第１のペイロードの第１のサイズを決定する。たとえば、コントローラ／プロセッサ３５９、ＴＸプロセッサ３６８、ＲＸプロセッサ３５６、または他の処理回路が、制御情報の第１の送信のための第１のペイロードの第１のサイズを決定し得る。いくつかの態様では、ＡＣＫ／ＮＡＫサイズ決定は、構成されたＣＣ、アクティベートされたＣＣ、または検出されたＣＣの関数（a function of）であり得、グラントにおけるインジケーションの関数であり得る。
【０１０３】
[00131]  ブロック６０６で、ＵＥ、たとえばＵＥ１０４、３５０、５０４、５０６は、第１のサイズおよび第１のしきい値に基づいて、第１の送信のための第１のフォーマット、たとえば第１のＰＵＣＣＨ送信のための第１のＰＵＣＣＨフォーマットを選択する。たとえば、コントローラ／プロセッサ３５９、ＴＸプロセッサ３６８、ＲＸプロセッサ３５６、または他の処理回路が、第１のサイズおよび第１のしきい値に基づいて、制御情報の第１の送信のための第１のフォーマットを選択し得る。
【０１０４】
[00132]  ブロック６０８で、ＵＥ、たとえばＵＥ１０４、３５０、５０４、５０６は、第１のフォーマットにしたがってアップリンクキャリア上で第１の送信を送る。たとえば、コントローラ／プロセッサ３５９、ＴＸプロセッサ３６８、ＲＸプロセッサ３５６、または他の処理回路が、第１のフォーマットにしたがってアップリンクキャリア上で第１の送信を送り得る。
【０１０５】
[00133]  ブロック６１０で、ＵＥ、たとえばＵＥ１０４、３５０、５０４、５０６は、１つのフォーマットを選択する際に適用すべき第２のしきい値を決定する。たとえば、コントローラ／プロセッサ３５９、ＴＸプロセッサ３６８、ＲＸプロセッサ３５６、または他の処理回路が、１つのフォーマット、たとえばＰＵＣＣＨフォーマット、を選択する際に適用すべき第２のしきい値を決定し得る。当該フォーマットは、第２の送信、たとえば第２のＰＵＣＣＨ送信のために使用され得る。当該フォーマットの選択の際に適用すべき第２のしきい値は、可能性のある値のセットから決定され得る。
【０１０６】
[00134]  ブロック６１２で、ＵＥ、たとえばＵＥ１０４、３５０、５０４、５０６は、制御情報の第２の送信のための第２のペイロードの第２のサイズを決定する。たとえば、コントローラ／プロセッサ３５９、ＴＸプロセッサ３６８、ＲＸプロセッサ３５６、または他の処理回路が、制御情報の第２の送信のための第２のペイロードの第２のサイズを決定し得る。
【０１０７】
[00135]  ブロック６１４で、ＵＥ、たとえばＵＥ１０４、３５０、５０４、５０６は、制御情報の第２の送信のための第２のペイロードの第２のサイズおよび第２のしきい値に基づいて、第２のフォーマットを選択する。たとえば、コントローラ／プロセッサ３５９、ＴＸプロセッサ３６８、ＲＸプロセッサ３５６、または他の処理回路が、第２の送信、たとえば第２のＰＵＣＣＨ送信のための第２のペイロードの第２のサイズおよび第２のしきい値に基づいて、第２のフォーマット、たとえば第２のＰＵＣＣＨフォーマットを選択し得る。
【０１０８】
[00136]  いくつかの例では、第１のしきい値は、一連のフォーマット、たとえば一連のＰＵＣＣＨフォーマット、のうちの１つが使用されるときを定義するしきい値のセットを含む。いくつかの例では、ペイロードは、ＨＡＲＱフィードバック、チャネル状態情報フィードバック、またはスケジューリングリクエストのうちの少なくとも１つを含む。
【０１０９】
[00137]  いくつかの例では、複数のフォーマットの各々は、それぞれの最大ペイロードサイズおよび多重化能力を有する。いくつかの例では、複数のフォーマットのうちの少なくとも１つのフォーマットは、時間ドメイン拡散を使用する。時間ドメイン拡散は、冗長な情報を提供することによって通信スループットを高めるために使用され得る。一般に、冗長に対する時間ドメイン拡散手法は、複数の送信において情報を繰り返すことである。いくつかのフォーマットは、直交（たとえば、ウォルシュアダマールまたはＤＦＴ）拡散符号を使用する時間ドメイン拡散を実行し得る。いくつかの例では、第１の送信、たとえばＰＵＣＣＨ送信は、複数のセルグループのうちの第１のセルグループにおいて送信される。
【０１１０】
[00138]  いくつかの例では、第２のしきい値は、第２のセルグループにおける送信、たとえば第２のセルグループにおけるＰＵＣＣＨ送信のために決定される。第２のしきい値は、第１のセルグループについての第１のしきい値とは異なり得る。いくつかの例では、複数のセルグループは、ＵＥのために構成されたキャリアアグリゲーションオペレーションの一部である。いくつかの例では、複数のセルグループは、ＵＥのために構成されたデュアル接続オペレーション（dual connectivity operation）の一部である。
【０１１１】
[00139]  図７は、本明細書で説明されているシステムおよび方法にしたがった、ワイヤレス通信の方法のフローチャート７００である。ブロック７０２で、ｅＮＢ、たとえば図１のｅＮＢ１０２、図３のｅＮＢ３１０、または図５の基地局５０２は、複数のフォーマットからアップリンク制御情報の送信のための１つのフォーマットを選択する際にＵＥ１０４を構成ために用いるべき第１のしきい値を決定する。当該フォーマットは、ＵＥによる第１の送信のために使用される。たとえば、コントローラ／プロセッサ３７５、ＴＸプロセッサ３１５、ＲＸプロセッサ３７０、または他の処理回路が、ＵＥ固有のしきい値のセットを決定し、それらをＲＲＣ構成メッセージにおいてＵＥ１０４に通信し得る。
【０１１２】
[00140]  ブロック７０４で、ｅＮＢ１０２、３１０（または基地局５０２）は、当該ＵＥから制御情報の第１の送信を受信し、当該第１の送信は選択されたしきい値を使用する。たとえば、コントローラ／プロセッサ３７５、ＴＸプロセッサ３１５、ＲＸプロセッサ３７０、または他の処理回路が、当該ＵＥから第１の送信を受信し得、当該第１の送信は選択されたしきい値を使用する。
【０１１３】
[00141]  ブロック７０６で、ｅＮＢ１０２、３１０（または基地局５０２）は、当該ＵＥに第１のしきい値を送る。たとえば、コントローラ／プロセッサ３７５、ＴＸプロセッサ３１５、ＲＸプロセッサ３７０、または他の処理回路が、当該ＵＥに第１のしきい値を送り得る。当該ＵＥに第１のしきい値を送ることは、当該ＵＥに第１のしきい値を送信することを含み得る。別の例では、第１のしきい値は、ＲＲＣ構成メッセージを介して当該ＵＥに送られる。別の例では、第１のしきい値は、当該ＵＥで予め設定され得る。
【０１１４】
[00142]  ブロック７０８で、ｅＮＢ１０２、３１０（または基地局５０２）は、当該ＵＥについてのチャネル状況に基づいて第１のしきい値を決定する。たとえば、コントローラ／プロセッサ３７５、ＴＸプロセッサ３１５、ＲＸプロセッサ３７０、または他の処理回路が、当該ＵＥについてのチャネル状態に基づいて第１のしきい値を選択し得る。
【０１１５】
[00143]  ブロック７１０で、ｅＮＢ１０２、３１０（または基地局５０２）は、当該ＵＥを含むセル中のＵＥの数に基づいて第１のしきい値を決定する。たとえば、コントローラ／プロセッサ３７５、ＴＸプロセッサ３１５、ＲＸプロセッサ３７０、または他の処理回路が、当該ＵＥを含むセル中のＵＥの数に基づいて第１のしきい値を選択し得る。１セル中のＵＥの数と特定のしきい値との間の特定のマッピングは、実装ごとに異なり得る。一般に、１セル中のＵＥの数が大きいほど、多重化がより重要になり得る。これは、フォーマットがＰＵＣＣＨフォーマットであり、１セル中の多数のＵＥがＰＵＣＣＨを使用しているとき、特に真であり得る。したがって、ＰＵＣＣＨフォーマット３または４は、より多数のＵＥが１セル中にある（またはセル中の多数のＵＥがＰＵＣＣＨを使用している）ときに好ましい。逆に、ＰＵＣＣＨフォーマット５は、少数のＵＥが１セル中にある（または１セル中の少数のＵＥがＰＵＣＣＨを使用している）ときに好まれ得る。
【０１１６】
[00144]  たとえば、しきい値セット１は、セル中のＵＥの数が５つ以下であるときに選択され得、しきい値セット２は、セル中のＵＥの数が５つよりも大きいときに選択され得る。代わりとして、一態様では、異なる数のＵＥについてしきい値の複数のセットが使用され得、たとえば、最大３つのＵＥについては１つのセットが、４〜９つのＵＥについては別の１つのセットが、および１０個以上のＵＥについては第３のセットが、使用され得る。しかしながら、特定のしきい値選択のためのＵＥの数は、特定の通信システムに応じて異なり得ることは理解されるだろう。
【０１１７】
[00145]  ブロック７１２で、ｅＮＢ１０２、３１０（または基地局５０２）は、１つのフォーマットを選択する際に適用すべき第２のしきい値を選択する。たとえば、コントローラ／プロセッサ３７５、ＴＸプロセッサ３１５、ＲＸプロセッサ３７０、または他の処理回路は、１つのフォーマットを選択する際に適用すべき第２のしきい値を選択し得る。当該フォーマットは、第２のＵＥによる第２の送信のために使用され得る。
【０１１８】
[00146]  ブロック７１４で、ｅＮＢ１０２、３１０（または基地局５０２）は、第２のＵＥに第２のしきい値を送る。たとえば、コントローラ／プロセッサ３７５、ＴＸプロセッサ３１５、ＲＸプロセッサ３７０、または他の処理回路が、第２のＵＥに第２のしきい値を送り得る。
【０１１９】
[00147]  ブロック７１６で、ｅＮＢ１０２、３１０（または基地局５０２）は、第２のＵＥから第２の送信を受信する。たとえば、コントローラ／プロセッサ３７５、ＴＸプロセッサ３１５、ＲＸプロセッサ３７０、または他の処理回路が、第２のＵＥから第２の送信を受信し得る。
【０１２０】
[00148]  いくつかの例では、複数のフォーマットの各々は、それぞれの最大ペイロードサイズおよび多重化能力を有する。いくつかの例では、フォーマットの選択は、ＨＡＲＱフィードバック、チャネル状態情報フィードバック、またはスケジューリングリクエストのうちの少なくとも１つを含むペイロードに基づく。
【０１２１】
[00149]  いくつかの例では、複数のフォーマットのうちの少なくとも１つのフォーマットが、時間ドメイン拡散を有する。いくつかの例では、ＵＥについてのチャネル状態は、当該ＵＥを含むグループについての基準信号受信電力（ＲＳＲＰ）、チャネル状態情報（ＣＳＩ）報告、または電力ヘッドルームレポート（ＰＨＲ）のうちの少なくとも１つに基づいて決定される。
【０１２２】
[00150]  いくつかの例では、第１のしきい値は、一連のフォーマットのうちの１つが使用されるときを定義するしきい値のセットを備える。いくつかの例では、第１の送信は、当該ＵＥのために構成された複数のセルグループのうちの第１のセルグループにおいて受信される。
【０１２３】
[00151]  いくつかの例では、第２のしきい値は、当該ＵＥのために構成された第２のセルグループにおける送信のために決定される。第２のしきい値は、第１のセルグループについての第１のしきい値とは異なる。いくつかの例では、第２のしきい値は、一連のフォーマットのうちの１つが使用されるときを定義するしきい値のセットを備える。
【０１２４】
[00152]  いくつかの例では、複数のセルグループは、当該ＵＥのために設定されたキャリアアグリゲーションオペレーションの一部である。いくつかの例では、複数のセルグループは、当該ＵＥのために設定されたデュアル接続オペレーションの一部である。
【０１２５】
[00153]  図８は、実例的な装置８０２における異なる手段／コンポーネント間のデータフローを例示している概念上のデータフロー図８００である。当該装置は、ＵＥであり得る。当該装置は、送信８２０を受信するように構成されている受信コンポーネント８０４、複数のフォーマットから１つのフォーマットを選択する際に適用すべきしきい値を決定するしきい値決定コンポーネント８０６、サイズおよび当該しきい値に基づいて送信８３６のためのフォーマットを選択するフォーマット選択コンポーネント８０８、たとえば送信８３６においてデータを送信し得る送信コンポーネント８１０、およびサイズコンポーネント８１２を含む。
【０１２６】
[00154]  当該装置は、図６の上述のフローチャートにおけるアルゴリズムのブロックの各々を実行する追加のコンポーネントを含み得る。このように、図６の上述のフローチャートにおける各ブロックは、１つのコンポーネントによって実行され得、当該装置は、１つまたは複数の追加のコンポーネントを含み得る。コンポーネントは、述べられたプロセス／アルゴリズムを行うように特に構成される１つまたは複数のハードウェアコンポーネントか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１２７】
[00155]  一構成では、しきい値決定コンポーネント８０６は、複数のフォーマットから１つのフォーマットを選択する際に適用すべき第１のしきい値を決定する。当該フォーマットは、第１の送信のために使用され得る。第１のしきい値は、当該フォーマットの選択の際に適用され得、値の第１のセットから決定され得る。サイズコンポーネント８１２は、第１の送信、たとえば、受信コンポーネント８０４で受信され、サイズコンポーネント８１２に送信される８２６送信８２０、のための第１のペイロードの第１のサイズを決定する。フォーマット選択コンポーネント８０８は、第１のサイズ８２８および第１のしきい値８３０に基づいて、第１の送信のための第１のフォーマットを選択し得る。選択されたフォーマットは、送信８３６のために送信コンポーネント８１０に通信され得る８２２。１つのフォーマットを選択するために使用される一連のしきい値を形成し得る値のセットの選択は、値の当該セットを使用するＵＥについての状態に基づき得る。たとえば、ＵＥが悪いチャネル状態を有する場合、ＰＵＣＣＨフォーマットのためにより少ないビットのペイロードサイズを有するしきい値についての値のセットが選択され得る。チャネル状態が良好であるとき、ＰＵＣＣＨフォーマットのためのより大きいペイロードサイズをもつしきい値、たとえば値のセット、が選択され得る。さらに、上で論じられたように、異なるフォーマットが、１つのＵＥについてのパフォーマンスと、他のＵＥについての多重化能力との間にトレードオフを与える。個別のＰＵＣＣＨパフォーマンス（たとえば、ＵＥ電力消費）と発展型ノードＢ（ｅＮＢ）におけるＰＵＣＣＨ多重化のトレードオフは、各個別のＵＥのチャネル／干渉状態を考慮に入れるべきである。チャネル状態が良好なＵＥでは、より大きい多重化能力を与えるＰＵＣＣＨフォーマットを用いたわずかに悪いＰＵＣＣＨパフォーマンスは、許容可能であり得る。ＵＥは、ＰＵＣＣＨパフォーマンスターゲットを満たすために、より高い送信電力で送信する必要があり得る。より多くのＵＥが、さらに、同じリソースブロックにおいて多重化され得る。逆に、チャネル状態が悪いＵＥでは、ＰＵＣＣＨパフォーマンスがより重要になり得、その理由は、当該ＵＥがＰＵＣＣＨパフォーマンスを落とし得る電力制限を経験し得るからであり、これは望ましくないことがある。結果的に、低減された多重化能力は避けられないことがある。したがって、ＵＥ固有のしきい値が、特定のＰＵＣＣＨ送信のためにどのＰＵＣＣＨフォーマットを使用すべきかを決定する際に使用され得る。
【０１２８】
[00156]  一構成では、フォーマットは、ＰＵＣＣＨフォーマットを含み得る。
【０１２９】
[00157]  一構成では、第１のしきい値を決定することは、ＵＥのために設定されたしきい値のセットから第１のしきい値を決定することを含み得る。別の構成では、第１のしきい値を決定することは、第１のしきい値を受信すること８２４を含み得る。別の構成では、第１のしきい値は、たとえば受信コンポーネント８０４を通じて基地局８５０から受信され得８２４、当該受信コンポーネント８０４は、基地局８５０から送信８２０を受信し得る。別の構成では、第１のしきい値はＲＲＣ構成され得る。たとえば、第１のしきい値を受信することは、ＲＲＣ構成メッセージを受信することを含み得る。
【０１３０】
[00158]  一構成では、サイズコンポーネント８１２は、（たとえば、送信コンポーネント８１０による）第２の送信のための第２のペイロードの第２のサイズを決定し得る。フォーマット選択コンポーネント８０８は、第２のペイロードの第２のサイズおよび第１のしきい値に基づいて、制御情報の第２の送信のための第２のフォーマットを選択し得る。
【０１３１】
[00159]  一構成では、しきい値決定コンポーネント８０６は、１つのフォーマットを選択する際に適用すべき第２のしきい値を決定し得る。当該フォーマットは、（たとえば、送信コンポーネント８１０による）第２の送信のために使用され得る。第２のしきい値は、当該フォーマットの選択の際に適用され得る。当該フォーマットは、値の第２のセットから決定され得、ここで、値の第１のセットは、値の第２のセットとは異なる。サイズコンポーネント８１２は、制御情報の第２の送信のための第２のペイロードの第２のサイズを決定し得る。フォーマット選択コンポーネント８０８は、制御情報の第２の送信のために、第２のペイロードの第２のサイズおよび第２のしきい値に基づいて、第２のフォーマットを選択し得る。たとえば、上記のセット１が、使用されているしきい値のセットであるとすると、３〜１６ビット（ペイロードサイズ）でＰＵＣＣＨフォーマット３が使用され得、１７〜４８ビットでＰＵＣＣＨフォーマット４が使用され得、４９〜１３６ビットでＰＵＣＣＨフォーマット５が使用され得る。たとえばビット単位のペイロードのサイズは、しきい値のセットと比較され得る。当該サイズを各しきい値と比較することは、どのしきい値が満たされているかを決定するために行われ得る。満たされているしきい値に関連付けられたフォーマットがその後、選択され得る。たとえば、セット１では、ペイロードが５７ビットである場合、ＰＵＣＣＨフォーマット５が選択され得る。
【０１３２】
[00160]  一構成では、第１のしきい値は、一連のフォーマットの各フォーマットが使用されるときを示すしきい値のセットを含み得る。別の構成では、制御情報は、ＨＡＲＱフィードバック、チャネル状態情報フィードバック、またはスケジューリングリクエストのうちの少なくとも１つを含む。一般に、ペイロードのサイズは、当該ペイロードにおいて情報を伝達するために使用されるビット数であり得る。
【０１３３】
[00161]  一構成では、複数のフォーマットの各々は、それぞれの最大ペイロードサイズまたはそれぞれの多重化能力のうちの少なくとも１つを有する。別の例では、複数のフォーマットのうちの少なくとも１つのフォーマットは、時間ドメイン拡散を使用する。別の例では、送信コンポーネント８１０が、複数のセルグループのうちの第１のセルグループに送信する。
【０１３４】
[00162]  一構成では、しきい値決定コンポーネント８０６は、第２のセルグループにおける送信のための第２のしきい値を決定する。第２のしきい値は、第１のセルグループについての第１のしきい値とは異なり得る。
【０１３５】
[00163]  一構成では、複数のセルグループは、ＵＥのために構成されたキャリアアグリゲーションオペレーションの一部であり得る。別の構成では、複数のセルグループは、ＵＥのために設定されたデュアル接続オペレーションの一部であり得る。
【０１３６】
[00164]  図９は、処理システム９１４を採用する装置８０２’のためのハードウェア実装の例を例示している図９００である。処理システム９１４は、バス９２４によって概して表されているバスアーキテクチャで実装され得る。バス９２４は、処理システム９１４の特定のアプリケーションおよび全体の設計制約に応じて、任意の数の相互接続するバスおよびブリッジを含み得る。バス９２４は、プロセッサ９０４、コンポーネント８０４、８０６、８０８、８１０、８１２、およびコンピュータ可読媒体／メモリ９０６によって表されている１つまたは複数のプロセッサおよび／またはハードウェアコンポーネントを含む様々な回路を互いにリンクさせる。バス９２４はまた、タイミングソース、周辺機器、電圧レギュレータ、および電力管理回路のような様々な他の回路もリンクさせ得るが、これらは、当該技術分野において周知であり、したがって、これ以上は説明されない。
【０１３７】
[00165]  処理システム９１４は、トランシーバ９１０に結合され得る。トランシーバ９１０は、１つまたは複数のアンテナ９２０に結合される。トランシーバ９１０は、送信媒体を介して様々な他の装置と通信するための手段を提供する。トランシーバ９１０は、１つまたは複数のアンテナ９２０から信号を受信し、当該受信された信号から情報を抽出し、当該抽出された情報を、処理システム９１４、特に受信コンポーネント１００４に提供する。加えて、トランシーバ９１０は、処理システム９１４、特に送信コンポーネント１００８から情報を受信し、当該受信された情報に基づいて、１つまたは複数のアンテナ９２０に適用されるべき信号を生成する。処理システム９１４は、コンピュータ可読媒体／メモリ９０６に結合されたプロセッサ９０４を含む。プロセッサ９０４は、コンピュータ可読媒体／メモリ９０６上に記憶されたソフトウェアの実行を含む、一般的な処理を担う。当該ソフトウェアは、プロセッサ９０４によって実行されるとき、処理システム９１４に、あらゆる特定の装置について上記で説明された様々な機能を実行させる。コンピュータ可読媒体／メモリ９０６はまた、ソフトウェアを実行するときにプロセッサ９０４によって操作されるデータを記憶するためにも使用され得る。処理システム９１４はさらに、コンポーネント８０４、８０６、８０８、８１０、８１２のうちの少なくとも１つを含む。当該コンポーネントは、プロセッサ９０４において起動し、コンピュータ可読媒体／メモリ９０６に内在する／記憶されたソフトウェアコンポーネントか、プロセッサ９０４に結合された１つまたは複数のハードウェアコンポーネントか、またはそれらの何らかの組合せであり得る。処理システム９１４は、ＵＥ３５０のコンポーネントであり得、メモリ３６０ならびに／または、ＴＸプロセッサ３６８、ＲＸプロセッサ３５６、およびコントローラ／プロセッサ３５９のうちの少なくとも１つを含み得る。
【０１３８】
[00166]  一構成では、ワイヤレス通信のための装置８０２／８０２’は、複数のフォーマットから１つのフォーマットを選択する際に適用すべき第１のしきい値を決定するための手段を含み、当該フォーマットは、第１の送信のためにＵＥによって使用される。第１のしきい値は、当該フォーマットの選択の際に適用され、値の第１のセットから選択され得る。ワイヤレス通信のための装置８０２／８０２’は、制御情報の第１の送信のための第１のペイロードの第１のサイズを決定するための手段を含む。ワイヤレス通信のための装置８０２／８０２’は、第１のサイズおよび第１のしきい値に基づいて、制御情報の第１の送信のための第１のフォーマットを選択するための手段を含む。ワイヤレス通信のための装置８０２／８０２’は、ＵＥによって、第１のフォーマットにしたがってアップリンクキャリア上で第１の送信を送るための手段を含む。
【０１３９】
[00167]   ワイヤレス通信のための装置８０２／８０２’は、制御情報の第２の送信のための第２のペイロードの第２のサイズを決定するための手段を含み得る。ワイヤレス通信のための装置８０２／８０２’は、第２のペイロードの第２のサイズおよび第１のしきい値に基づいて、制御情報の第２の送信のための第２のフォーマットを選択するための手段を含み得る。
【０１４０】
[00168]  ワイヤレス通信のための装置８０２／８０２’は、１つのフォーマットを選択する際に適用すべき第２のしきい値を決定するための手段を含み得、当該フォーマットは、第２の送信のために使用される。第２のしきい値は、当該フォーマットの選択の際に適用され得、値の第１のセットとは異なる値の第２のセットから決定される。ワイヤレス通信のための装置８０２／８０２’は、制御情報の第２の送信のための第２のペイロードの第２のサイズを決定するための手段を含み得る。ワイヤレス通信のための装置８０２／８０２’は、第２の送信のための第２のペイロードの第２のサイズおよび第２のしきい値に基づいて、第２のフォーマットを選択するための手段を含み得る。
【０１４１】
[00169]  上述の手段は、上述の手段によって記載された機能を実行するように構成された装置８０２および／または装置８０２’の処理システム９１４の上述のコンポーネントのうちの１つまたは複数であり得る。上記で説明されたように、処理システム９１４は、ＴＸプロセッサ３６８、ＲＸプロセッサ３５６、およびコントローラ／プロセッサ３５９を含み得る。このように、一構成では、上述の手段は、上述の手段によって記載された機能を実行するように構成されたＴＸプロセッサ３６８、ＲＸプロセッサ３５６、およびコントローラ／プロセッサ３５９であり得る。
【０１４２】
[00170]  図１０は、実例的な装置１００２における異なる手段／コンポーネント間のデータフローを例示している概念上のデータフロー図１０００である。当該装置は、ｅＮＢであり得る。当該装置は、メッセージ１０２０を受信するように構成されている受信コンポーネント１００４およびしきい値を選択する選択しきい値コンポーネント１００６、ならびにデータを送信する１０３０送信コンポーネント１００８を含む。受信コンポーネント１００４は、送信コンポーネント１００８に送信されるべきデータを通信し得る１０２４。
【０１４３】
[00171]  当該装置は、図７の上述のフローチャートにおけるアルゴリズムのブロックの各々を実行する追加のコンポーネントを含み得る。このように、図７の上述のフローチャートにおける各ブロックは、１つのコンポーネントによって実行され得、当該装置は、１つまたは複数の追加のコンポーネントを含み得る。コンポーネントは、述べられたプロセス／アルゴリズムを行うように特に構成される１つまたは複数のハードウェアコンポーネントか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１４４】
[00172]  一構成では、選択しきい値コンポーネント１００６は、複数のフォーマットから１つのフォーマットを選択する際に適用すべき第１のしきい値を選択する。当該フォーマットは、ＵＥ１０５０による第１の送信のために使用される。受信コンポーネント１００４は、ＵＥ１０５０から第１の送信を受信し、当該第１の送信は、選択されたしきい値を使用する。受信コンポーネント１００４は、選択しきい値コンポーネント１００６を用いたしきい値の選択に関連する受信された情報を通信し得る１０２２。
【０１４５】
[00173]  一構成では、フォーマットは、ＰＵＣＣＨフォーマットを含み得る。
【０１４６】
[00174]  一構成では、送信コンポーネント１００８は、ＵＥ１０５０に第１のしきい値を送り得る。（選択しきい値コンポーネント１００６は、送信１０３０のために送信コンポーネント１００８に選択されたしきい値を通信し得る１０２６。）ＵＥ１０５０に第１のしきい値を送ることは、ＵＥ１０５０に第１のしきい値を送信することを含み得る。一構成では、第１のしきい値は、ＵＥで予め構成され得る。一構成では、第１のしきい値は、ＲＲＣ構成メッセージを介してＵＥ１０５０に送られ得る。一構成では、第１のしきい値はＲＲＣ構成され得る。たとえば、第１のしきい値を受信することは、ＲＲＣ構成メッセージを受信することを含み得る。
【０１４７】
[00175]  一構成では、第１のしきい値は、一連のフォーマットの各フォーマットが使用されるときを示すしきい値のセットであり得る。一構成では、制御情報は、ＨＡＲＱフィードバック、チャネル状況情報フィードバック、またはスケジューリングリクエストのうちの少なくとも１つを含む。一構成では、複数のフォーマットの各々が、それぞれの最大ペイロードサイズまたはそれぞれの多重化能力のうちの少なくとも１つを有する。一構成では、複数のフォーマットのうちの少なくとも１つのフォーマットが、時間ドメイン拡散を使用する。
【０１４８】
[00176]  一構成では、第１の送信は、複数のセルグループのうちの第１のセルグループにおいて送信され得る。第２のしきい値は、第２のセルグループにおける送信のために決定され得、ここで、当該第２のしきい値は、第１のセルグループについての第１のしきい値とは異なる。
【０１４９】
[00177]  一構成では、複数のセルグループは、ＵＥ１０５０のために構成されたキャリアアグリゲーションオペレーションの一部であり得る。別の構成では、複数のセルグループは、ＵＥ１０５０のために構成されたデュアル接続オペレーションの一部である。
【０１５０】
[00178]  図１１は、処理システム１１１４を採用する装置１００２’のためのハードウェア実装の例を例示している図１１００である。処理システム１１１４は、バス１１２４によって概して表されているバスアーキテクチャで実装され得る。バス１１２４は、処理システム１１１４の特定のアプリケーションおよび全体の設計制約に応じて、任意の数の相互接続するバスおよびブリッジも含み得る。バス１１２４は、プロセッサ１１０４、コンポーネント１００４、１００６、１００８、およびコンピュータ可読媒体／メモリ１１０６によって表されている１つまたは複数のプロセッサおよび／またはハードウェアモジュールを含む様々な回路を互いにリンクさせる。バス１１２４はまた、タイミングソース、周辺機器、電圧レギュレータ、および電力管理回路のような様々な他の回路もリンクさせ得、これらは、当該技術分野で周知であり、したがって、これ以上は説明されない。
【０１５１】
[00179]  処理システム１１１４は、トランシーバ１１１０に結合され得る。トランシーバ１１１０は、１つまたは複数のアンテナ１１２０に結合される。トランシーバ１１１０は、送信媒体を介して様々な他の装置と通信するための手段を提供する。トランシーバ１１１０は、１つまたは複数のアンテナ１１２０から信号を受信し、当該受信された信号から情報を抽出し、当該抽出された情報を、処理システム１１１４、特に受信コンポーネント１００４に提供する。加えて、トランシーバ１１１０は、処理システム１１１４、特に送信コンポーネント１００８から情報を受信し、当該受信された情報に基づいて、１つまたは複数のアンテナ１１２０に適用されるべき信号を生成する。処理システム１１１４は、コンピュータ可読媒体／メモリ１１０６に結合されたプロセッサ１１０４を含む。プロセッサ１１０４は、コンピュータ可読媒体／メモリ１１０６上に記憶されたソフトウェアの実行を含む、一般的な処理を担う。当該ソフトウェアは、プロセッサ１１０４によって実行されるとき、処理システム１１１４に、あらゆる特定の装置について上記で説明された様々な機能を実行させる。コンピュータ可読媒体／メモリ１１０６はまた、ソフトウェアを実行するときにプロセッサ１１０４によって操作されるデータを記憶するためにも使用され得る。処理システム１１１４はさらに、コンポーネント１００４、１００６、１００８のうちの少なくとも１つを含む。当該コンポーネントは、プロセッサ１１０４において起動し、コンピュータ可読媒体／メモリ１１０６に内在する／記憶されたソフトウェアコンポーネントか、プロセッサ１１０４に結合された１つまたは複数のハードウェアコンポーネントか、またはそれらの何らかの組合せであり得る。処理システム１１１４は、ｅＮＢ３１０のコンポーネントであり得、メモリ３７６および／またはＴＸプロセッサ３１６、ＲＸプロセッサ３７０、およびコントローラ／プロセッサ３７５のうちの少なくとも１つを含み得る。
【０１５２】
[00180]  ワイヤレス通信のための装置１００２／１００２’は、制御情報の第２の送信のための第２のペイロードの第２のサイズを決定する手段を含み得る。ワイヤレス通信のための装置１００２／１００２’は、第２のペイロードの第２のサイズおよび第１のしきい値に基づいて、第２の送信のための第２のフォーマットを選択するための手段を含み得る。
【０１５３】
[00181]  ワイヤレス通信のための装置１００２／１００２’は、１つのフォーマットを選択する際に適用すべき第２のしきい値を決定するための手段を含み得、当該フォーマットは、第２の送信のために使用される。当該フォーマットの選択の際に適用された第２のしきい値は、値の第１のセットとは異なる値の第２のセットから決定される。ワイヤレス通信のための装置１００２／１００２’は、制御情報の第２の送信のための第２のペイロードの第２のサイズを決定するための手段を含み得る。装置１００２／１００２’は、制御情報の第２の送信のための第２のペイロードの第２のサイズおよび第２のしきい値に基づいて、第２のフォーマットを選択するための手段を含み得る。
【０１５４】
[00182]  上述の手段は、上述の手段によって記載された機能を実行するように構成された装置１００２および／または装置１００２’の処理システム１１１４の上述のコンポーネントのうちの１つまたは複数であり得る。上記で説明されたように、処理システム１１１４は、ＴＸプロセッサ３１６、ＲＸプロセッサ３７０、およびコントローラ／プロセッサ３７５を含み得る。このように、一構成では、上述の手段は、上述の手段によって記載された機能を実行するように構成されたＴＸプロセッサ３１６、ＲＸプロセッサ３７０、およびコントローラ／プロセッサ３７５であり得る。
【０１５５】
[00183]  開示されたプロセス／フローチャートにおけるブロックの特定の順序または階層が実例的な手法の例示であることは理解される。設計選好に基づいて、プロセス／フローチャートにおけるブロックの特定の順序または階層が並べ替えられ得ることは理解される。さらに、いくつかのブロックが組み合わされ得る、または省略され得る。添付の方法の請求項は、サンプルの順序で様々なブロックの要素を提示しており、提示された特定の順序または階層に限定されるようには意図されていない。
【０１５６】
[00184]  先の説明は、いずれの当業者も本明細書で説明された様々な態様を実施することを可能とするように提供されている。これらの態様への様々な変更は当業者には容易に明らかになり、本明細書で定義されている包括的な本質は他の態様に適用され得る。したがって、請求項は、本明細書で図示されている態様に限定されるようには意図されていないが、請求項の記載と矛盾しない最大範囲を付与されることとし、ここにおいて、単数の要素への言及は、そのように特に述べられない限り、「１つおよび１つのみ」を意味するのではなく、むしろ「１つまたは複数」を意味するように意図されている。「実例的」という言葉は、「例、事例、または例示としての役目をする」を意味するように本明細書では使用されている。「実例的」と本明細書で説明されているいずれの態様も、必ずしも、他の態様よりも好まれる、または有利であると解釈されないこととする。違った形で特に述べられない限り、「何らかの／いくつかの／いくらかの（some）」という用語は、１つまたは複数を指す。「Ａ、Ｂ、またはＣのうちの少なくとも１つ」、「Ａ、Ｂ、またはＣの１つまたは複数」、「Ａ、Ｂ、およびＣのうちの少なくとも１つ」、「Ａ、Ｂ、およびＣの１つまたは複数」、および「Ａ、Ｂ、Ｃ、またはそれらのあらゆる組合せ」のような組合せは、Ａ、Ｂ、および／またはＣのいずれの組合せも含み、複数のＡ、複数のＢ、または複数のＣを含み得る。特に、「Ａ、Ｂ、またはＣのうちの少なくとも１つ」、「Ａ、Ｂ、またはＣの１つまたは複数」、「Ａ、Ｂ、およびＣのうちの少なくとも１つ」、「Ａ、Ｂ、およびＣの１つまたは複数」、および「Ａ、Ｂ、Ｃ、またはそれらのあらゆる組合せ」のような組合せは、Ａのみ、Ｂのみ、Ｃのみ、ＡとＢ、ＡとＣ、ＢとＣ、またはＡとＢとＣであり得、ここで、あらゆるこうした組合せが、Ａ、Ｂ、またはＣの１または複数のメンバを含み得る。当業者には既知である、もしくは後に既知となる本開示全体を通じて説明されている様々な態様の要素に対するすべての構造的および機能的な均等物が、参照によって本明細書に明示的に組み込まれ、請求項によって包含されるように意図されている。さらに、本明細書で開示されているいずれも、こうした開示が請求項にはっきりと記載されているかどうかに関わらず、公衆に献呈されるようには意図されていない。「モジュール」、「メカニズム」、「要素」、「デバイス」等という言葉は、「手段」という言葉に対する代替でないことがある。このように、どの請求項の要素も、当該要素が「のための手段」というフレーズを使用して明示的に記載されていない限り、ミーンズプラスファンクションとして解釈されないこととする。
【図１】
2018526892.tif 000003
【図２Ａ】
2018526892.tif 000004
【図２Ｂ】
2018526892.tif 000005
【図２Ｃ】
2018526892.tif 000006
【図２Ｄ】
2018526892.tif 000007
【図３】
2018526892.tif 000008
【図４Ａ】
2018526892.tif 000009
【図４Ｂ】
2018526892.tif 000010
【図５】
2018526892.tif 000011
【図６】
2018526892.tif 000012
【図７】
2018526892.tif 000013
【図８】
2018526892.tif 000014
【図９】
2018526892.tif 000015
【図１０】
2018526892.tif 000016
【図１１】
2018526892.tif 000017
【国際調査報告】
2018526892.tif 000018
2018526892.tif 000019
2018526892.tif 000020